(57)【特許請求の範囲】
【請求項１】
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記第１の基地局が、前記第１の事業者の第１のネットワークにおいて展開され、前記第２の基地局が、前記第２の事業者の第２のネットワークにおいて展開され、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、ここにおいて、前記ＣＥＴが、前記第２の基地局によってサービスされ、かつ前記第２の事業者の前記第２のネットワークにおいて展開される、第１のモバイルデバイスに送信される、および
前記少なくとも１つの第２の事業者の前記第２の基地局の前記ＣＥＴの前記送信タイミング中に、前記第１の事業者の前記第１の基地局の前記送信を中断することと
を備える、ワイヤレス通信のための方法。
【請求項２】
前記監視することが、
前記少なくとも１つの第２の事業者の前記第２の基地局から直接、前記少なくとも１つの第２の事業者の前記第２の基地局のための前記ＣＥＴタイミング情報を検出することを備える、請求項１に記載の方法。
【請求項３】
前記監視することが、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止すること
を備える、請求項２に記載の方法。
【請求項４】
前記少なくとも１つの時間サブ間隔が、前記複数の時間間隔のうちの第１の時間間隔から前記複数の時間間隔のうちの第２の時間間隔に変化する、請求項３に記載の方法。
【請求項５】
前記監視することが、前記第１の事業者の前記第１の基地局の第１のセル中にある第２のモバイルデバイスから報告を受信することを備え、
前記識別することが、前記第２のモバイルデバイスからの前記報告に少なくとも部分的に基づいて、前記少なくとも１つの第２の事業者の前記第２の基地局の前記ＣＥＴの前記送信タイミングを識別することを備える、
請求項１に記載の方法。
【請求項６】
前記第２のモバイルデバイスからの前記報告が、
前記第１の事業者の前記第１の基地局と前記少なくとも１つの第２の事業者の前記第２の基地局との間のタイミング差を備え、ここにおいて、前記第２のモバイルデバイスが、前記第１の事業者の前記第１の基地局によってサービスされる、
請求項５に記載の方法。
【請求項７】
前記第２のモバイルデバイスからの前記報告が、
基準ＣＥＴタイミングと前記少なくとも１つの第２の事業者の前記第２の基地局の前記ＣＥＴの前記送信タイミングとの間のタイミング差
を備える、請求項５に記載の方法。
【請求項８】
前記第２のモバイルデバイスからの前記報告が、
前記少なくとも１つの第２の事業者のパブリックランドモバイルネットワーク（ＰＬＭＮ）識別子を備え、前記第２のモバイルデバイスが、前記第１の事業者のＰＬＭＮのメンバーである、
請求項５に記載の方法。
【請求項９】
前記第１の事業者の前記第１の基地局によって、前記第１の基地局のＣＥＴを送信することをさらに備え、前記第１の事業者の前記第１の基地局の前記ＣＥＴが、前記第１の事業者の前記第１の基地局のためのシステム構成情報を備える、
請求項１に記載の方法。
【請求項１０】
前記第１の事業者の前記第１の基地局のための前記システム構成情報が、
リッスンビフォアトーク（ＬＢＴ）フレームの構成に関する情報
を備える、請求項９に記載の方法。
【請求項１１】
前記ＬＢＴフレームの前記構成に関する前記情報が、前記ＬＢＴフレームの持続時間を２ミリ秒または５ミリ秒として示す、請求項１０に記載の方法。
【請求項１２】
リッスンビフォアトーク（ＬＢＴ）フレームのいくつかの直交周波数分割多重（ＯＦＤＭ）シンボル中にダウンリンクＣＣＡを実行することをさらに備え、ここにおいて、前記いくつかのＯＦＤＭシンボルが、前記ＬＢＴフレームの第１のサブフレームの始まりにおいて起こる、
請求項１に記載の方法。
【請求項１３】
前記第１の事業者の前記第１の基地局の前記送信を前記中断することが、
補足ダウンリンク（ＳＤＬ）動作モードをサポートする無認可無線周波数スペクトル帯域を使用するセルの送信を中断すること
を備える、請求項１に記載の方法。
【請求項１４】
第１の事業者の第１の基地局によって、少なくとも１つの第２の事業者の第２の基地局のクリアチャネルアセスメント（ＣＣＡ）免除送信（ＣＥＴ）タイミング情報を監視するための手段と、ここにおいて、前記第１の基地局が、前記第１の事業者の第１のネットワークにおいて展開され、前記第２の基地局が、前記第２の事業者の第２のネットワークにおいて展開され、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別するための手段と、ここにおいて、前記ＣＥＴが、前記第２の基地局によってサービスされ、かつ前記第２の事業者の前記第２のネットワークにおいて展開される、第１のモバイルデバイスに送信される、および
前記少なくとも１つの第２の事業者の前記第２の基地局の前記ＣＥＴの前記送信タイミング中に、前記第１の事業者の前記第１の基地局の前記送信を中断するための手段と
を備える、ワイヤレス通信のための装置。
【請求項１５】
監視するための前記手段が、
前記少なくとも１つの第２の事業者の前記第２の基地局から直接、前記少なくとも１つの第２の事業者の前記第２の基地局のための前記ＣＥＴタイミング情報を検出するための手段
を備える、請求項１４に記載の装置。
【請求項１６】
監視するための前記手段が、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止するための手段
を備える、請求項１５に記載の装置。
【請求項１７】
前記少なくとも１つの時間サブ間隔が、前記複数の時間間隔のうちの第１の時間間隔から前記複数の時間間隔のうちの第２の時間間隔に変化する、請求項１６に記載の装置。
【請求項１８】
監視するための前記手段が、前記第１の事業者の前記第１の基地局の第１のセル中にある第２のモバイルデバイスから報告を受信するための手段を備え、および
識別するための前記手段が、前記第２のモバイルデバイスからの前記報告に少なくとも部分的に基づいて、前記少なくとも１つの第２の事業者の前記第２の基地局の前記ＣＥＴの前記送信タイミングを識別するための手段を備える、
請求項１４に記載の装置。
【請求項１９】
前記第２のモバイルデバイスからの前記報告が、
前記第１の事業者の前記第１の基地局と前記少なくとも１つの第２の事業者の前記第２の基地局との間のタイミング差を備え、ここにおいて、前記第２のモバイルデバイスが、前記第１の事業者の前記第１の基地局によってサービスされる、
請求項１８に記載の装置。
【請求項２０】
前記第２のモバイルデバイスからの前記報告が、
基準ＣＥＴタイミングと前記少なくとも１つの第２の事業者の前記第２の基地局の前記ＣＥＴの前記送信タイミングとの間のタイミング差
を備える、請求項１８に記載の装置。
【請求項２１】
前記第２のモバイルデバイスからの前記報告が、
前記少なくとも１つの第２の事業者のパブリックランドモバイルネットワーク（ＰＬＭＮ）識別子を備え、前記第２のモバイルデバイスが、前記第１の事業者のＰＬＭＮのメンバーである、
請求項１８に記載の装置。
【請求項２２】
前記第１の事業者の前記第１の基地局によって、前記第１の基地局のＣＥＴを送信するための手段をさらに備え、前記第１の事業者の前記第１の基地局の前記ＣＥＴが、前記第１の事業者の前記第１の基地局のためのシステム構成情報を備える、
請求項１４に記載の装置。
【請求項２３】
前記第１の事業者の前記第１の基地局のための前記システム構成情報が、
リッスンビフォアトーク（ＬＢＴ）フレームの構成に関する情報
を備える、請求項２２に記載の装置。
【請求項２４】
プロセッサと、
前記プロセッサと電子通信しているメモリと、および
前記メモリに記憶された命令とを備え、前記命令は、
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記第１の基地局が、前記第１の事業者の第１のネットワークにおいて展開され、前記第２の基地局が、前記第２の事業者の第２のネットワークにおいて展開され、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、ここにおいて、前記ＣＥＴが、前記第２の基地局によってサービスされ、かつ前記第２の事業者の前記第２のネットワークにおいて展開される、第１のモバイルデバイスに送信される、および
前記少なくとも１つの第２の事業者の前記第２の基地局の前記ＣＥＴの前記送信タイミング中に、前記第１の事業者の前記第１の基地局の前記送信を中断することと
を行うために前記プロセッサによって実行可能である、
ワイヤレス通信のための装置。
【請求項２５】
監視するために前記プロセッサによって実行可能な前記命令が、
前記少なくとも１つの第２の事業者の前記第２の基地局から直接、前記少なくとも１つの第２の事業者の前記第２の基地局のための前記ＣＥＴタイミング情報を検出する
ために前記プロセッサによって実行可能な命令を備える、請求項２４に記載の装置。
【請求項２６】
監視するために前記プロセッサによって実行可能な前記命令が、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止する
ために前記プロセッサによって実行可能な命令を備える、請求項２５に記載の装置。
【請求項２７】
前記少なくとも１つの時間サブ間隔が、前記複数の時間間隔のうちの第１の時間間隔から前記複数の時間間隔のうちの第２の時間間隔に変化する、請求項２６に記載の装置。
【請求項２８】
監視するために前記プロセッサによって実行可能な前記命令が、前記第１の事業者の前記第１の基地局の第１のセル中にある第２のモバイルデバイスから報告を受信するために前記プロセッサによって実行可能な命令を備え、
識別するために前記プロセッサによって実行可能な前記命令が、前記第２のモバイルデバイスからの前記報告に少なくとも部分的に基づいて、前記少なくとも１つの第２の事業者の前記第２の基地局の前記ＣＥＴの前記送信タイミングを識別するために前記プロセッサによって実行可能な命令を備える、
請求項２４に記載の装置。
【請求項２９】
ワイヤレス通信のためのコンピュータ実行可能コードを記憶する非一時的コンピュータ可読媒体であって、前記コードは、
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記第１の基地局が、前記第１の事業者の第１のネットワークにおいて展開され、前記第２の基地局が、前記第２の事業者の第２のネットワークにおいて展開され、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、ここにおいて、前記ＣＥＴが、前記第２の基地局によってサービスされ、かつ前記第２の事業者の前記第２のネットワークにおいて展開される、第１のモバイルデバイスに送信される、
前記少なくとも１つの第２の事業者の前記第２の基地局の前記ＣＥＴの前記送信タイミング中に、前記第１の事業者の前記第１の基地局の前記送信を中断することと
を行うために少なくとも１つのプロセッサによって実行可能である、非一時的コンピュータ可読媒体。
【請求項３０】
前記コードが、
前記少なくとも１つの第２の事業者の前記第２の基地局から直接、前記少なくとも１つの第２の事業者の前記第２の基地局のための前記ＣＥＴタイミング情報を検出する
ために前記少なくとも１つのプロセッサによって実行可能である、請求項２９に記載のコンピュータ可読媒体。
【発明の詳細な説明】
【技術分野】
【０００１】
相互参照
[0001]本特許出願は、各々が本出願の譲受人に譲渡された、２０１４年１１月２５日に出願された、「Techniques for Enabling Asynchronous Transmissions in an Unlicensed Radio Frequency Spectrum Band」と題する、Ｄａｍｎｊａｎｏｖｉｃらによる米国特許出願第１４／５５３，７８９号、および２０１４年２月２４日に出願された、「Techniques for Enabling Asynchronous Transmissions in an Unlicensed Radio Frequency Spectrum Band」と題する、Ｄａｍｎｊａｎｏｖｉｃらによる米国仮特許出願第６１／９４３，７５５号の優先権を主張する。
【０００２】
[0002]本開示は、たとえばワイヤレス通信システムに関し、より詳細には、無認可無線周波数スペクトル帯域における非同期送信（たとえば、非同期クリアチャネルアセスメント（ＣＣＡ：clear channel assessment）免除送信（ＣＥＴ：CCA exempt transmission））を可能にするための技法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が複数のモバイルデバイスのための通信を同時にサポートする、いくつかの基地局を含み得る。基地局は、（たとえば、基地局からモバイルデバイスへの送信のために）ダウンリンクチャネル、および（たとえば、モバイルデバイスから基地局への送信のために）アップリンクチャネル上でモバイルデバイスと通信し得る。
【０００５】
[0005]いくつかの通信モードは、セルラーネットワークの異なる無線周波数スペクトル帯域（たとえば、認可無線周波数スペクトル帯域または無認可無線周波数スペクトル帯域）上でのモバイルデバイスとの通信を可能にし得る。セルラーネットワークにおけるデータトラフィックの増加とともに、少なくとも一部のデータトラフィックの、無認可無線周波数スペクトル帯域へのオフローディングは、セルラー事業者に拡張データ送信容量のための機会を与え得る。無認可無線周波数スペクトル帯域へのアクセスを獲得し、無認可無線周波数スペクトル帯域上でデータを送信するより前に、送信装置は、いくつかの例では、無認可無線周波数スペクトル帯域へのアクセスを獲得するために、リッスンビフォアトーク（ＬＢＴ：listen before talk）プロシージャを実行し得る。ＬＢＴプロシージャは、無認可無線周波数スペクトル帯域の特定のチャネルが利用可能であるかどうかを決定するために、クリアチャネルアセスメント（ＣＣＡ）を実行することを含み得る。チャネルが利用可能でないと決定されたとき、そのチャネルのためのＣＣＡが後で再び実行され得る。
【０００６】
[0006]送信装置（たとえば、基地局またはモバイルデバイス）のいくつかの送信は、ＣＣＡを実行することなしに行われ得る。これらのＣＣＡ免除送信（ＣＥＴ）は、発見信号（たとえば、同期信号または基準信号）、システム情報、または構成情報を含み得る。モバイルデバイスが、基地局から、無認可無線周波数スペクトル帯域のチャネルに関連するＣＥＴを受信することに失敗した場合、モバイルデバイスは、無認可無線周波数スペクトル帯域のチャネル上でデータを受信または送信することができないことがある。
【発明の概要】
【０００７】
[0007]本開示は、たとえば、無認可無線周波数スペクトル帯域における非同期送信（たとえば、非同期ＣＥＴ）を可能にするための１つまたは複数の技法に関する。いくつかのワイヤレス通信システムでは、第１の事業者の第１の基地局の非同期送信と、少なくとも１つの第２の事業者の第２の基地局の非同期送信とが互いに干渉し得る。発見信号、システム情報、または構成情報を含んでいるＣＥＴなど、いくつかの送信の場合、モバイルデバイスがその送信を受信することに失敗することは、無認可無線周波数スペクトル帯域の関連するチャネル上でモバイルデバイスがデータを受信または送信することを妨げ得る。モバイルデバイスが、それらのサービング基地局によって送信されたＣＥＴを受信する可能性を増加させるために、第１の事業者の第１の基地局は、少なくとも１つの第２の事業者の第２の基地局のいくつかの送信（たとえば、ＣＥＴ）の送信タイミング中に、送信を中断し得る（この例では、少なくとも１つの第２の事業者の第２の基地局はサービング基地局である）。同様に、少なくとも１つの第２の事業者の第２の基地局は、第１の事業者の第１の基地局のいくつかの送信（たとえば、ＣＥＴ）の送信タイミング中に、送信を中断し得る（この例では、第１の事業者の第１の基地局はサービング基地局である）。
【０００８】
[0008]例示的な例の第１のセットでは、ワイヤレス通信のための方法について説明する。一例では、本方法は、第１の事業者の第１の基地局によって、少なくとも１つの第２の事業者の第２の基地局のＣＥＴタイミング情報を監視することと、監視することに少なくとも部分的に基づいて、少なくとも１つの第２の事業者の第２の基地局のＣＥＴの送信タイミングを識別することと、少なくとも１つの第２の事業者の第２の基地局のＣＥＴの送信タイミング中に、第１の事業者の第１の基地局の送信を中断することとを含み得る。少なくとも１つの第２の事業者の第２の基地局の送信は、第１の事業者の第１の基地局の送信と非同期であり得る。
【０００９】
[0009]いくつかの例では、本方法は、少なくとも１つの第２の事業者の第２の基地局から直接、少なくとも１つの第２の事業者の第２の基地局のためのＣＥＴタイミング情報を検出することを含み得る。これらの例では、監視することは、少なくとも１つの第２の事業者の第２の基地局のＣＥＴの送信を検出するために、複数の時間間隔の各々の少なくとも１つの時間サブ間隔中に、第１の事業者の第１の基地局のデータ送信を中止することを含み得る。いくつかの例では、少なくとも１つの時間サブ間隔は、複数の時間間隔のうちの第１の時間間隔から複数の時間間隔のうちの第２の時間間隔に変化し得る。
【００１０】
[0010]本方法のいくつかの例では、監視することは、第１の事業者の第１の基地局の第１のセル中にあるモバイルデバイスから報告を受信することを含み得、識別することは、モバイルデバイスからの報告に少なくとも部分的に基づいて、少なくとも１つの第２の事業者の第２の基地局のＣＥＴの送信タイミングを識別することを含み得る。これらの例では、モバイルデバイスからの報告は、第１の事業者の第１の基地局と少なくとも１つの第２の事業者の第２の基地局との間のタイミング差、基準ＣＥＴタイミングと少なくとも１つの第２の事業者の第２の基地局のＣＥＴの送信タイミングとの間のタイミング差、または少なくとも１つの第２の事業者のパブリックランドモバイルネットワーク（ＰＬＭＮ）識別子を含み得る。いくつかの例では、モバイルデバイスは第１の事業者の第１の基地局によってサービスされ得るか、またはモバイルデバイスは第１の事業者のＰＬＭＮのメンバーであり得る。
【００１１】
[0011]いくつかの例では、本方法は、第１の事業者の第１の基地局によって、第１の基地局のＣＥＴを送信することを含み得る。第１の事業者の第１の基地局のＣＥＴは、第１の事業者の第１の基地局のためのシステム構成情報を含み得る。これらの例では、第１の事業者の第１の基地局のためのシステム構成情報は、リッスンビフォアトーク（ＬＢＴ）フレームの構成に関する情報を含み得る。いくつかの例では、ＬＢＴフレームの構成に関する情報は、ＬＢＴフレームの持続時間を２ミリ秒または５ミリ秒として示し得る。
【００１２】
[0012]いくつかの例では、本方法は、リッスンビフォアトーク（ＬＢＴ）フレームのいくつかの直交周波数分割多重（ＯＦＤＭ）シンボル中にダウンリンクＣＣＡを実行することを含み得る。いくつかのＯＦＤＭシンボルは、ＬＢＴフレームの第１のサブフレームの始まりにおいて起こり得る。
【００１３】
[0013]本方法のいくつかの例では、第１の事業者の第１の基地局の送信を中断することは、補足ダウンリンク（ＳＤＬ：supplemental downlink）動作モードをサポートする無認可無線周波数スペクトル帯域を使用するセルの送信を中断することを含み得る。
【００１４】
[0014]例示的な例の第２のセットでは、ワイヤレス通信のための装置について説明する。一例では、本装置は、第１の事業者の第１の基地局によって、少なくとも１つの第２の事業者の第２の基地局のＣＥＴタイミング情報を監視するための手段と、監視することに少なくとも部分的に基づいて、少なくとも１つの第２の事業者の第２の基地局のＣＥＴの送信タイミングを識別するための手段と、少なくとも１つの第２の事業者の第２の基地局のＣＥＴの送信タイミング中に、第１の事業者の第１の基地局の送信を中断するための手段とを含み得る。少なくとも１つの第２の事業者の第２の基地局の送信は、第１の事業者の第１の基地局の送信と非同期であり得る。いくつかの例では、本装置は、例示的な例の第１のセットに関して上記で説明したワイヤレス通信のための方法の１つまたは複数の態様を実装するための手段をさらに含み得る。
【００１５】
[0015]例示的な例の第３のセットでは、ワイヤレス通信のための別の装置について説明する。一例では、本装置は、プロセッサと、プロセッサと電子通信しているメモリと、メモリに記憶された命令とを含み得る。命令は、第１の事業者の第１の基地局によって、少なくとも１つの第２の事業者の第２の基地局のＣＥＴタイミング情報を監視することと、監視することに少なくとも部分的に基づいて、少なくとも１つの第２の事業者の第２の基地局のＣＥＴの送信タイミングを識別することと、少なくとも１つの第２の事業者の第２の基地局のＣＥＴの送信タイミング中に、第１の事業者の第１の基地局の送信を中断することとを行うためにプロセッサによって実行可能であり得る。少なくとも１つの第２の事業者の第２の基地局の送信は、第１の事業者の第１の基地局の送信と非同期であり得る。いくつかの例では、命令はまた、例示的な例の第１のセットに関して上記で説明したワイヤレス通信のための方法の１つまたは複数の態様を実装するためにプロセッサによって実行可能であり得る。
【００１６】
[0016]例示的な例の第４のセットでは、ワイヤレス通信のためのコンピュータ実行可能コードを記憶する非一時的コンピュータ可読媒体について説明する。一例では、コードは、第１の事業者の第１の基地局によって、少なくとも１つの第２の事業者の第２の基地局のＣＥＴタイミング情報を監視することと、監視することに少なくとも部分的に基づいて、少なくとも１つの第２の事業者の第２の基地局のＣＥＴの送信タイミングを識別することと、少なくとも１つの第２の事業者の第２の基地局のＣＥＴの送信タイミング中に、第１の事業者の第１の基地局の送信を中断することとを行うために少なくとも１つのプロセッサによって実行可能であり得る。少なくとも１つの第２の事業者の第２の基地局の送信は、第１の事業者の第１の基地局の送信と非同期であり得る。いくつかの例では、命令はまた、例示的な例の第１のセットに関して上記で説明したワイヤレス通信のための方法の１つまたは複数の態様を実装するためにプロセッサによって実行可能であり得る。
【００１７】
[0017]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で与えられ、特許請求の範囲の限界を定めるものではない。
【００１８】
[0018]本発明の性質および利点のさらなる理解は、以下の図面を参照して実現され得る。添付図において、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００１９】
【図１】[0019]本開示の様々な態様による、ワイヤレス通信システムのブロック図。
【図２】[0020]本開示の様々な態様による、ＬＴＥ（登録商標）／ＬＴＥ−Ａが、無認可無線周波数スペクトル帯域を使用する補足ダウンリンクモードで展開されるワイヤレス通信システムを示す図。
【図３】[0021]本開示の様々な態様による、無認可無線周波数スペクトル帯域におけるセルラーダウンリンクのためのゲーティング間隔（またはＬＢＴフレーム）の例を示す図。
【図４】[0022]本開示の様々な態様による、無認可無線周波数スペクトル帯域における非同期事業者のＣＥＴ送信のためのリソース割振りの一例を示す図。
【図５】[0023]本開示の様々な態様による、無認可無線周波数スペクトル帯域上での、３つのそれぞれの非同期事業者（たとえば、事業者１、事業者２、および事業者３）の３つの基地局の例示的な送信を示す図。
【図６】[0024]本開示の様々な態様による、ワイヤレス通信において使用するための装置のブロック図。
【図７】[0025]本開示の様々な態様による、ワイヤレス通信において使用するための装置のブロック図。
【図８】[0026]本開示の様々な態様による、ワイヤレス通信において使用するための装置のブロック図。
【図９】[0027]本開示の様々な態様による、ワイヤレス通信において使用するための基地局（たとえば、ｅＮＢの一部または全部を形成する基地局）のブロック図。
【図１０】[0028]本開示の様々な態様による、ワイヤレス通信において使用するためのモバイルデバイス（たとえば、ＵＥ）のブロック図。
【図１１】[0029]本開示の様々な態様による、ワイヤレス通信のための方法の一例を示すフローチャート。
【図１２】[0030]本開示の様々な態様による、ワイヤレス通信のための方法の一例を示すフローチャート。
【図１３】[0031]本開示の様々な態様による、ワイヤレス通信のための方法の一例を示すフローチャート。
【発明を実施するための形態】
【００２０】
[0032]無認可無線周波数スペクトル帯域（たとえば、無線周波数スペクトル帯域が無認可使用のために利用可能であるので、装置がそれのためにアクセスを求めて競合するＷｉ−Ｆｉ（登録商標）無線周波数スペクトル帯域などの無線周波数スペクトル帯域）がセルラー通信（たとえば、ロングタームエボリューション（ＬＴＥ）通信またはＬＴＥアドバンスト（ＬＴＥ−Ａ）通信）のために使用され得る技法について説明する。
【００２１】
[0033]セルラーネットワークにおけるデータトラフィックの増加とともに、少なくとも一部のデータトラフィックの、無認可無線周波数スペクトル帯域へのオフローディングは、セルラー事業者（たとえば、パブリックランドモバイルネットワーク（ＰＬＭＮ）、またはＬＴＥ／ＬＴＥ−Ａネットワークなどのセルラーネットワークを定義する基地局の協調セットの事業者）に拡張データ送信容量のための機会を与え得る。無認可無線周波数スペクトル帯域へのアクセスを獲得し、無認可無線周波数スペクトル帯域上でデータを送信するより前に、送信装置は、いくつかの例では、無認可無線周波数スペクトル帯域へのアクセスを獲得するために、ＬＢＴプロシージャを実行し得る。そのようなＬＢＴプロシージャは、無認可無線周波数スペクトル帯域の特定のチャネルが利用可能であるかどうかを決定するために、ＣＣＡを実行することを含み得る。チャネルが利用可能でないと決定されたとき、そのチャネルのためのＣＣＡが後で再び実行され得る。さらに、同じまたは異なる事業者の基地局が、無認可無線周波数スペクトル帯域にアクセスするための同じまたは異なる技法を使用して、フェアな方式で無認可無線周波数スペクトル帯域を共有し得ることを保証するために、無認可無線周波数スペクトル帯域の使用は協調される必要があり得る。
【００２２】
[0034]場合によっては、無認可無線周波数スペクトル帯域へのフェアアクセスは、無認可無線周波数スペクトル帯域にアクセスすることを希望する異なる事業者の異なる装置またはノードによって実行されるＣＣＡの協調によって可能にされ得る。ＣＣＡ協調方法のうちのいくつかでは、ＣＣＡは、無認可無線周波数スペクトル帯域にアクセスすることを望み得る複数の装置またはノードの間であらかじめ決定された時間期間において行われるように協調され得る。たとえば、複数の協調ノードが無認可無線周波数スペクトル帯域におけるダウンリンクチャネルアクセスのためのＣＣＡをその間に実行し得る時間期間が識別され得る。そのような協調は、装置またはノードが、同期方式でアクセスを求め、無線周波数信号を送信する同期システムを生じる。
【００２３】
[0035]そのような時間同期は単一事業者展開内では保証されることがあるが、それは、無認可無線周波数スペクトル帯域の同じチャネル上でサービスを展開する異なる事業者間では保証されることもされないこともある。たとえば、異なる事業者の基地局は非同期的に動作し得る。より詳細には、協調基地局の第１のセット（たとえば、第１の事業者によって展開される基地局のセット）が、ＬＢＴフレームにおいて協調基地局の他のセット（たとえば、他の事業者によって展開される基地局の他のセット）よりも早くＣＣＡを実行する場合、協調基地局のこの第１のセットは、比較的多数の連続するＬＢＴフレームの間、無認可無線周波数スペクトル帯域にアクセスするための競合に勝ち、協調基地局の他のセットによる無認可無線周波数スペクトル帯域へのアクセスのための競合の複数の連続する不成功が生じ得る。したがって、無認可無線周波数スペクトル帯域にアクセスしようとする事業者の基地局は、基地局が無認可無線周波数スペクトル帯域を使用し得る、１つまたは複数のＬＢＴフレームへのアクセスを求めて競合するために、１つまたは複数のＣＣＡを実行し得る。
【００２４】
[0036]無認可無線周波数スペクトルへのアクセスが１つまたは複数のＬＢＴフレームの間得られたとき、無認可無線周波数スペクトル帯域へのアクセスがそれの間得られたＬＢＴフレームの数が、連続するＬＢＴフレームのしきい値数（たとえば、Ｎ個の連続するＬＢＴフレーム）に等しいかまたはそれよりも大きいかどうかに関する決定が行われ得る。無認可無線周波数スペクトル帯域へのアクセスがそれの間得られたＬＢＴフレームの数が、連続するＬＢＴフレームのしきい値数に等しいかまたはそれよりも大きい場合、無認可無線周波数スペクトル帯域の使用は、他の事業者が無認可無線周波数スペクトル帯域にアクセスすることを可能にするために、ある時間期間（たとえば、Ｋ個のＬＢＴフレーム）の間放棄され得る。基地局が、それによって、Ｎ個のＬＢＴフレームの間、無認可無線周波数スペクトル帯域のチャネルにアクセスし得るが、次いで、Ｋ個のＬＢＴフレームの間、無認可無線周波数スペクトル帯域のチャネルへのアクセスを放棄することを要求されるプロトコルは、Ｎ／Ｋプロトコルと呼ばれることがある。無認可無線周波数スペクトル帯域へのアクセスの放棄は、たとえば、ある時間期間の間、無認可無線周波数スペクトル帯域上での競合プロシージャまたは送信／受信を停止することによって達成され得る。
【００２５】
[0037]異なる事業者の基地局が非同期タイミングを有する場合、無認可無線周波数スペクトル帯域におけるいくつかの非同期送信（たとえば、非同期ＣＥＴ）を保護することによって、無認可無線周波数スペクトル帯域へのフェアアクセスが可能にされ得る。いくつかのワイヤレス通信システムでは、第１の事業者の第１の基地局の非同期送信と、第２の事業者の第２の基地局の非同期送信とが互いに干渉し得る。発見信号、システム情報、または構成情報を含んでいるＣＥＴなど、いくつかの送信の場合、モバイルデバイスがその送信を受信することに失敗することは、無認可無線周波数スペクトル帯域の関連するチャネル上でモバイルデバイスがデータを受信または送信することを妨げ得る。モバイルデバイスが、それらのサービング基地局によって送信されたＣＥＴを受信する可能性を増加させるために、第１の事業者の第１の基地局は、第２の事業者の第２の基地局のいくつかの送信（たとえば、ＣＥＴ）の送信タイミング中に、送信を中断し得る（ここで、この例では、第２の事業者の第２の基地局はサービング基地局である）。同様に、第２の事業者の第２の基地局は、第１の事業者の第１の基地局のいくつかの送信（たとえば、ＣＥＴ）の送信タイミング中に、送信を中断し得る（ここで、この例では、第１の事業者の第１の基地局はサービング基地局である）。２つの事業者に関して説明したが、本明細書で説明するプロシージャおよび技法は複数の事業者に適用され得ることが諒解され得る。
【００２６】
[0038]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００２７】
[0039]以下の説明は、例を与えるものであり、特許請求の範囲に記載される範囲、適用可能性、または例を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２８】
[0040]図１に、本開示の様々な態様による、ワイヤレス通信システム１００のブロック図を示す。ワイヤレス通信システム１００は、複数の基地局１０５（たとえば、１つまたは複数のｅＮＢの一部または全部を形成する基地局）と、いくつかのモバイルデバイス１１５（たとえば、ユーザ機器（ＵＥ））と、コアネットワーク１３０とを含み得る。基地局１０５のうちのいくつかは、様々な例ではコアネットワーク１３０または基地局１０５のうちのいくつかの基地局の一部であり得る、基地局コントローラ（図示せず）の制御下でモバイルデバイス１１５と通信し得る。基地局１０５のうちのいくつかは、バックホール１３２を通してコアネットワーク１３０と制御情報またはユーザデータを通信し得る。いくつかの例では、基地局１０５のうちのいくつかは、ワイヤードまたはワイヤレス通信リンクであり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２９】
[0041]基地局１０５は、１つまたは複数の基地局アンテナを介してモバイルデバイス１１５とワイヤレス通信し得る。基地局１０５の各々は、それぞれのカバレージエリア１１０に通信カバレージを与え得る。いくつかの例では、基地局１０５は、アクセスポイント、基地トランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、Ｗｉ−Ｆｉノード、または何らかの他の好適な用語で呼ばれることがある。基地局１０５のためのカバレージエリア１１０は、カバレージエリアの一部分のみを構成するセクタに分割され得る。ワイヤレス通信システム１００は、異なるタイプの基地局１０５（たとえば、マクロ基地局、マイクロ基地局、またはピコ基地局）を含み得る。基地局１０５はまた、セルラーまたはＷＬＡＮ無線アクセス技術など、異なる無線技術を利用し得る。基地局１０５は同じまたは異なるアクセスネットワークまたは事業者展開に関連し得る。同じまたは異なるタイプの基地局１０５のカバレージエリアを含むか、同じまたは異なる無線技術を利用するか、あるいは同じまたは異なるアクセスネットワークに属する、異なる基地局１０５のカバレージエリアは重複し得る。
【００３０】
[0042]いくつかの例では、ワイヤレス通信システム１００はＬＴＥ／ＬＴＥ−Ａ通信システム（またはネットワーク）を含み得、そのＬＴＥ／ＬＴＥ−Ａ通信システムは、認可無線周波数スペクトル帯域（たとえば、無線周波数スペクトル帯域が特定の使用のために特定のユーザに認可されているので、装置がそれのためにアクセスを求めて競合しない無線周波数スペクトル帯域）、または無認可無線周波数スペクトル帯域（たとえば、無線周波数スペクトル帯域が無認可使用のために利用可能であるので、装置がそれのためにアクセスを求めて競合する、Ｗｉ−Ｆｉ無線周波数スペクトル帯域などの無線周波数スペクトル帯域）における１つまたは複数の動作モードまたは展開をサポートし得る。他の例では、ワイヤレス通信システム１００は、ＬＴＥ／ＬＴＥ−Ａとは異なる１つまたは複数のアクセス技術を使用するワイヤレス通信をサポートし得る。ＬＴＥ／ＬＴＥ−Ａ通信システムでは、発展型ノードＢまたはｅＮＢという用語は、たとえば、基地局１０５または基地局１０５のグループについて説明するために使用され得る。
【００３１】
[0043]ワイヤレス通信システム１００は、異なるタイプの基地局１０５が様々な地理的領域にカバレージを与える、異種ＬＴＥ／ＬＴＥ−Ａネットワークであるか、またはそれを含み得る。たとえば、各基地局１０５は、通信カバレージをマクロセル、ピコセル、フェムトセル、または他のタイプのセルに与え得る。ピコセル、フェムトセル、または他のタイプのセルなどのスモールセルは低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的小さい地理的エリアをカバーすることになり、ネットワークプロバイダのサービスに加入しているＵＥによる無制限アクセスを可能にし得る。また、フェムトセルは、たとえば、比較的小さい地理的エリア（たとえば、自宅）をカバーすることになり、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数（たとえば、２つ、３つ、４つなど）のセルをサポートし得る。
【００３２】
[0044]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介して、またはバックホール１３２を介して（たとえば、コアネットワーク１３０を通して）直接または間接的に互いと通信し得る。ワイヤレス通信システム１００は同期動作または非同期動作をサポートし得る。同期動作の場合、ｅＮＢは同様のフレームタイミングまたはゲーティングタイミングを有し得、異なるｅＮＢからの送信は近似的に時間的に整合され得る。非同期動作の場合、ｅＮＢは異なるフレームタイミングまたはゲーティングタイミングを有し得、異なるｅＮＢからの送信は時間的に整合されないことがある。
【００３３】
[0045]モバイルデバイス１１５はワイヤレス通信システム１００全体にわたって分散され得る。モバイルデバイス１１５は、当業者によって、ユーザ機器（ＵＥ）、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。モバイルデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などの装着可能なアイテム、ワイヤレスローカルループ（ＷＬＬ）局などであり得る。モバイルデバイス１１５は、マクロｅＮＢ、ピコｅＮＢ、フェムトｅＮＢ、リレーなどと通信することが可能であり得る。モバイルデバイス１１５はまた、セルラーまたは他のＷＷＡＮアクセスネットワーク、あるいはＷＬＡＮアクセスネットワークなど、異なるタイプのアクセスネットワーク上で通信することが可能であり得る。モバイルデバイス１１５を用いたいくつかの通信モードでは、通信は複数の通信リンク１２５またはチャネル（すなわち、コンポーネントキャリア）上で行われ、各チャネルは、モバイルデバイス１１５と、いくつかのセル（たとえば、場合によっては異なる基地局１０５によって動作させられ得るサービングセル）のうちの１つとの間のコンポーネントキャリアを使用し得る。
【００３４】
[0046]各コンポーネントキャリアは、認可無線周波数スペクトル帯域または無認可無線周波数スペクトル帯域上で与えられ得、特定の通信モードで使用されるコンポーネントキャリアのセットは、すべて、（たとえば、モバイルデバイス１１５において）認可無線周波数スペクトル帯域上で受信されるか、すべて、（たとえば、モバイルデバイス１１５において）無認可無線周波数スペクトル帯域上で受信されるか、または（たとえば、モバイルデバイス１１５において）認可無線周波数スペクトル帯域と無認可無線周波数スペクトルとの組合せ上で受信され得る。
【００３５】
[0047]ワイヤレス通信システム１００に示されている通信リンク１２５は、アップリンク（ＵＬ）通信（たとえば、モバイルデバイス１１５から基地局１０５への送信）を搬送するための（コンポーネントキャリアを使用する）アップリンクチャネル、またはダウンリンク（ＤＬ）通信（たとえば、基地局１０５からモバイルデバイス１１５への送信）を搬送するための（コンポーネントキャリアを使用する）ダウンリンクチャネルを含み得る。ＵＬ通信または送信は逆方向リンク通信または送信と呼ばれることもあり、ＤＬ通信または送信は順方向リンク通信または送信と呼ばれることもある。ダウンリンク通信またはアップリンク通信は、認可無線周波数スペクトル帯域、無認可無線周波数スペクトル帯域、またはその両方を使用して行われ得る。
【００３６】
[0048]ワイヤレス通信システム１００のいくつかの例では、ＬＴＥ／ＬＴＥ−Ａは、無認可無線周波数スペクトル帯域を使用する異なるシナリオの下で展開され得る。展開シナリオは、認可無線周波数スペクトル帯域におけるＬＴＥ／ＬＴＥ−Ａダウンリンク通信が無認可無線周波数スペクトル帯域にオフロードされ得る補足ダウンリンクモードと、ＬＴＥ／ＬＴＥ−Ａダウンリンク通信とＬＴＥ／ＬＴＥ−Ａアップリンク通信の両方が認可無線周波数スペクトル帯域から無認可無線周波数スペクトル帯域にオフロードされ得るキャリアアグリゲーションモードと、基地局とモバイルデバイスとの間のＬＴＥ／ＬＴＥ−Ａダウンリンク通信およびＬＴＥ／ＬＴＥ−Ａアップリンク通信が無認可無線周波数スペクトル帯域において行われ得るスタンドアロンモードとを含み得る。基地局１０５ならびにモバイルデバイス１１５は、いくつかの例では、これらまたは同様の動作モードのうちの１つまたは複数をサポートし得る。ＯＦＤＭＡ波形は、認可無線周波数スペクトル帯域または無認可無線周波数スペクトル帯域におけるＬＴＥ／ＬＴＥ−Ａダウンリンク通信のための通信リンク１２５において使用され得、ＯＦＤＭＡ、ＳＣ−ＦＤＭＡまたはリソースブロックインターリーブＦＤＭＡ波形は、認可無線周波数スペクトル帯域または無認可無線周波数スペクトル帯域におけるＬＴＥ／ＬＴＥ−Ａアップリンク通信のための通信リンク１２５において使用され得る。
【００３７】
[0049]ワイヤレス通信システム１００のいくつかの例では、無認可無線周波数スペクトル帯域を使用して送信しようとする装置は、無認可無線周波数スペクトル帯域がそのような送信において使用するために利用可能であること、すなわち、無認可無線周波数スペクトル帯域が１つまたは複数の他の装置によってすでに使用中でないことを検証することを要求され得る。したがって、無認可無線周波数スペクトル帯域にアクセスするより前に、装置は、チャネルアクセスを獲得するために、ＬＢＴプロシージャとも呼ばれる、競合ベースチャネルアクセスプロシージャを実行し得る。たとえば、ＣＣＡは、無認可無線周波数スペクトル帯域へのアクセスを求めて競合するために使用され得る。ＣＣＡの実行は、送信を開始するより前に、無認可無線周波数スペクトル帯域が他の方法で占有されていないことを検査することを伴い得る。いくつかの例では、ＣＣＡ機会は、事業者の複数の基地局１０５にわたって協調され得、１０ミリ秒、５ミリ秒、２ミリ秒ごとになど、周期的間隔において発生し得る。基地局１０５など、送信装置は、チャネルアクセスを望み得、無認可無線周波数スペクトル帯域における特定のキャリア周波数（たとえば、コンポーネントキャリア）が占有されているかどうかを決定するために、ＣＣＡを実行し得る。無認可無線周波数スペクトル帯域における特定のキャリア周波数が占有されている場合、基地局は、無認可無線周波数スペクトル帯域における特定のキャリア周波数へのアクセスを取得することを試みる前に、次のＣＣＡ機会まで待ち得る。１０ミリ秒ごとに１回ＣＣＡ機会を与える展開では、基地局１０５は、次いで、無認可無線周波数スペクトル帯域におけるチャネルアクセスを再び試みる前に、１０ミリ秒待たなければならないことになる。
【００３８】
[0050]いくつかの例では、および前述のように、複数の事業者は、無認可無線周波数スペクトル帯域へのアクセスのための競合ベースプロシージャにおけるあらかじめ定義された時間においてＣＣＡプロシージャを実行し得る協調基地局１０５を提供し得る。第１のＣＣＡプロシージャ中に無認可無線周波数スペクトル帯域のチャネルへのアクセスを得ない基地局１０５は、次いで、次の協調ＣＣＡ機会のために、定義された時間期間（たとえば、あるＬＢＴフレーム期間）待ち得る。無認可無線周波数スペクトル帯域のチャネルへのアクセスを得た基地局１０５は、無認可無線周波数スペクトル帯域のチャネルを使用して無線信号を送信し得る。同じく前述のように、異なる事業者の１つまたは複数の基地局１０５が非同期的に動作し、あらかじめ定義された時間においてＣＣＡプロシージャを実行し得る状況では、そのような基地局１０５は、比較的長い時間期間の間チャネルアクセスを妨げられ得る。いくつかの例によれば、ＣＣＡプロシージャにおいて無線周波数スペクトル帯域を得た基地局１０５は、あるしきい値数の連続するＬＢＴフレームの間、無認可無線周波数スペクトル帯域へのアクセスを求める競合に成功した後、無認可無線周波数スペクトル帯域のチャネルへのアクセスを放棄し得る。これは、１つまたは複数の非同期的に動作する基地局１０５が、無認可無線周波数スペクトル帯域のチャネルへのアクセスを獲得することを可能にし得る。
【００３９】
[0051]一態様では、図１は、ネイバリング基地局１０５−ａおよび１０５−ｂ、ならびに関連するモバイルデバイス１１５−ａおよび１１５−ｂの一例を示す。第１の基地局１０５−ａおよび第２の基地局１０５−ｂは、それぞれ、第１のカバレージエリア１１０−ａおよび第２のカバレージエリア１１０−ｂなど、重複カバレージエリアを有し得る。この例では、第１の基地局１０５−ａは、無認可無線周波数スペクトル帯域における第１の通信リンク１２５−ａを使用して第１のモバイルデバイス１１５−ａと通信し得る。同様に、第２の基地局１０５−ｂは、無認可無線周波数スペクトル帯域における第２の通信リンク１２５−ｂを使用して第２のモバイルデバイス１１５−ｂと通信し得る。いくつかの展開によれば、第１の基地局１０５−ａおよび第１のモバイルデバイス１１５−ａは、第１の事業者のネットワークにおいて展開され得、第１の事業者の基地局１０５の間で協調された競合期間中に各同期フレーム上で独立して無認可無線周波数スペクトル帯域について協調され、それを求めて競合し得る。さらに、いくつかの展開では、第２の基地局１０５−ｂおよび第２のモバイルデバイス１１５−ｂは、第２の事業者のネットワークにおいて展開され得、第２の事業者の基地局１０５の間で協調された競合期間中に各同期フレーム上で独立して無認可無線周波数スペクトル帯域について協調され、それを求めて競合し得る。上述のように、第１の基地局１０５−ａと第１のモバイルデバイス１１５−ａと第２の基地局１０５−ｂと第２のモバイルデバイス１１５−ｂとが同期されない例では、事業者のうちの１つは、協調競合期間が非同期である場合、比較的長い時間期間の間無認可無線周波数スペクトル帯域にアクセスするのを妨げられ得る。よく理解されるように、たとえば、Ｗｉ−Ｆｉアクセスポイントを含む、他のユーザも、無認可無線周波数スペクトル帯域において信号を送信し得る。Ｗｉ−Ｆｉアクセスポイントは、無認可無線周波数スペクトル帯域においてＷｉ−Ｆｉ信号を送信し得る。
【００４０】
[0052]上述のように、Ｗｉ−Ｆｉアクセスポイントは、１つまたは複数の他のデバイスと非同期的に通信し得、無認可無線周波数スペクトル帯域へのアクセスを求める他のデバイスに勝る優先度を有しないことがある。したがって、Ｗｉ−Ｆｉアクセスポイントは、無認可無線周波数スペクトル帯域にアクセスするために使用される標準ＬＢＴプロシージャを通して、無認可無線周波数スペクトル帯域へのチャネルアクセスを獲得し得る。Ｗｉ−Ｆｉアクセスポイントが、第１の基地局１０５−ａまたは第２の基地局１０５−ｂの一方または両方のＣＣＡプロシージャ中にすでに送信している場合、Ｗｉ−Ｆｉアクセスポイントは、無認可無線周波数スペクトル帯域へのアクセスを保持することになり、第１の基地局１０５−ａおよび第２の基地局１０５−ｂは、成功したＣＣＡプロシージャを実行するまで、無認可無線周波数スペクトル帯域にアクセスするための競合に勝たないであろう。
【００４１】
[0053]図２に、本開示の様々な態様による、ＬＴＥ／ＬＴＥ−Ａが、無認可無線周波数スペクトル帯域を使用する補足ダウンリンクモードで展開されるワイヤレス通信システム２００を示す。ワイヤレス通信システム２００は、図１に関して説明したワイヤレス通信システム１００の部分の一例であり得る。さらに、基地局２０５は、図１に関して説明した基地局１０５のうちの１つまたは複数の態様の一例であり得、モバイルデバイス２１５は、図１に関して説明したモバイルデバイス１１５のうちの１つまたは複数の態様の一例であり得る。
【００４２】
[0054]ワイヤレス通信システム２００における補足ダウンリンクモードの例では、基地局２０５は、ダウンリンクチャネル２２０を使用してモバイルデバイス２１５にＯＦＤＭＡ波形を送信し得る。ダウンリンクチャネル２２０は、無認可無線周波数スペクトル帯域における周波数Ｆ１に関連し得る。基地局２０５はまた、双方向リンク２２５を使用してモバイルデバイス２１５にＯＦＤＭＡ波形を送信し得、双方向リンク２２５を使用してモバイルデバイス２１５からＳＣ−ＦＤＭＡ波形を受信し得る。双方向リンク２２５は、認可無線周波数スペクトル帯域における周波数Ｆ２に関連し得る。無認可無線周波数スペクトル帯域におけるダウンリンクチャネル２２０および認可無線周波数スペクトル帯域における双方向リンク２２５は、コンカレントに動作し得る。ダウンリンクチャネル２２０はダウンリンク容量オフロードを基地局２０５に与え得る。いくつかの例では、ダウンリンクチャネル２２０は、（たとえば、１つのモバイルデバイスにアドレス指定された）ユニキャストサービスのために、または（たとえば、いくつかのモバイルデバイスにアドレス指定された）マルチキャストサービスのために使用され得る。このシナリオは、認可無線周波数スペクトル帯域を使用し、認可無線周波数スペクトル帯域のトラフィックまたはシグナリング輻輳の一部を軽減する必要があるサービスプロバイダ（たとえば、ＭＮＯ）の場合に起こり得る。
【００４３】
[0055]いくつかの例では、双方向リンク２２５は１次セル（Ｐｃｅｌｌ）との通信のために使用され得、ダウンリンクチャネル２２０は２次セル（Ｓｃｅｌｌ）との通信のために使用され得る。同期ＰｃｅｌｌおよびＳｃｅｌｌ動作モードでは、異なる事業者のＰｃｅｌｌは、それらのＰｃｅｌｌに対して非同期的に動作し得るので、全地球測位システム（ＧＰＳ）導出タイミングにオフセットが追加される必要があり得る。非同期ＰｃｅｌｌおよびＳｃｅｌｌ動作モードでは、ダウンリンク制御チャネルがＳｃｅｌｌ上で送信され得るか、またはクロスキャリア許可のために変更タイムラインが確立され得る。１つの手法は、非同期タイミングオフセットにより、後続のサブフレームにクロスキャリア許可を付与し得る。非同期ＰｃｅｌｌおよびＳｃｅｌｌ動作モードはまた、アップリンクハイブリッド自動再送要求（ＨＡＲＱ）フィードバックのための変更タイムラインを必要とし得る。タイムラインは、サブフレーム境界に丸められ（たとえば、４ミリ秒超で遅延されるか、あるいは３ミリ秒またはそれ以下まで進められ）得る。
【００４４】
[0056]上記で説明したように、無認可無線周波数スペクトル帯域におけるＬＴＥ／ＬＴＥ−Ａを使用することによって提供される容量オフロードから恩恵を受け得る１つのタイプのサービスプロバイダは、認可無線周波数スペクトル帯域ＬＴＥ／ＬＴＥ  Ａへのアクセス権利を有する旧来のＭＮＯである。これらのサービスプロバイダの場合、動作例は、認可無線周波数スペクトル帯域上のＬＴＥ／ＬＴＥ−Ａ１次コンポーネントキャリア（ＰＣＣ）と無認可無線周波数スペクトル帯域上の少なくとも１つの２次コンポーネントキャリア（ＳＣＣ）とを使用するブートストラップモード（たとえば、補足ダウンリンク）を含み得る。
【００４５】
[0057]いくつかの例では、図１または図２に関して説明した基地局１０５または２０５のうちの１つなどの送信装置は、無認可無線周波数スペクトル帯域のチャネルへの（たとえば、無認可無線周波数スペクトル帯域の物理チャネルへの）アクセスを獲得するために、ゲーティング間隔を使用し得る。ゲーティング間隔は、ＥＴＳＩ（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置がＣＣＡをいつ実行する必要があるかを示し得る。ＣＣＡの結果は、無認可無線周波数スペクトル帯域のチャネルが（ＬＢＴフレームとも呼ばれる）ゲーティング間隔のために利用可能であるのか使用中であるのかを送信デバイスに示し得る。チャネルが、対応するＬＢＴフレームのために利用可能（たとえば、使用のために「クリア」）であることをＣＣＡが示すとき、送信装置は、ＬＢＴフレームの一部または全部の間に無認可無線周波数スペクトル帯域のチャネルを予約または使用し得る。チャネルが利用可能でないこと（たとえば、チャネルが別の装置によって使用中または予約済みであること）をＣＣＡが示すとき、送信装置は、ＬＢＴフレーム中にチャネルを使用することを妨げられ得る。
【００４６】
[0058]場合によっては、送信装置が周期的にゲーティング間隔を生成し、ゲーティング間隔の少なくとも１つの境界を周期フレーム構造の少なくとも１つの境界と同期させることが有用であり得る。たとえば、無認可無線周波数スペクトル帯域におけるセルラーダウンリンクのための周期ゲーティング間隔を生成し、周期ゲーティング間隔の少なくとも１つの境界をセルラーダウンリンクに関連する周期フレーム構造（たとえば、周期ＬＴＥ／ＬＴＥ−Ａ無線フレーム構造）の少なくとも１つの境界と同期させることが有用であり得る。そのような同期の例を図３に示す。
【００４７】
[0059]図３に、本開示の様々な態様による、無認可無線周波数スペクトル帯域におけるセルラーダウンリンクのためのゲーティング間隔（またはＬＢＴフレーム）の例３００を示す。第１のゲーティング間隔３０５、第２のゲーティング間隔３１５、または第３のゲーティング間隔３２５は、無認可無線周波数スペクトル帯域上での送信をサポートするｅＮＢによって周期ゲーティング間隔として使用され得る。そのようなｅＮＢの例は、図１または図２に関して説明した基地局１０５または２０５を含み得る。第１のゲーティング間隔３０５、第２のゲーティング間隔３１５、または第３のゲーティング間隔３２５は、図１または図２に関して説明したワイヤレス通信システム１００または２００とともに使用され得る。
【００４８】
[0060]例として、第１のゲーティング間隔３０５の持続時間は、セルラーダウンリンクに関連する周期フレーム構造のＬＴＥ／ＬＴＥ−Ａ無線フレーム３１０の持続時間に等しい（またはそれにほぼ等しい）ことが示されている。いくつかの例では、「ほぼ等しい」は、第１のゲーティング間隔３０５の持続時間が、周期フレーム構造の持続時間のサイクリックプレフィックス（ＣＰ）持続時間内であることを意味する。
【００４９】
[0061]第１のゲーティング間隔３０５の少なくとも１つの境界は、ＬＴＥ／ＬＴＥ−Ａ無線フレームＮ−１〜Ｎ＋１を含む周期フレーム構造の少なくとも１つの境界と同期され得る。場合によっては、第１のゲーティング間隔３０５は、周期フレーム構造のフレーム境界と整合された境界を有し得る。他の場合には、第１のゲーティング間隔３０５は、周期フレーム構造のフレーム境界と同期されるが、それからオフセットされた境界を有し得る。たとえば、第１のゲーティング間隔３０５の境界は、周期フレーム構造のサブフレーム境界と、または周期フレーム構造のサブフレーム中間点境界（たとえば、特定のサブフレームの中間点）と整合され得る。
【００５０】
[0062]場合によっては、周期フレーム構造は、ＬＴＥ／ＬＴＥ−Ａ無線フレームＮ−１〜Ｎ＋１を含み得る。各ＬＴＥ／ＬＴＥ−Ａ無線フレーム３１０は、たとえば、１０ミリ秒の持続時間を有し得、第１のゲーティング間隔３０５も１０ミリ秒の持続時間を有し得る。これらの場合、第１のゲーティング間隔３０５の境界は、ＬＴＥ／ＬＴＥ−Ａ無線フレームのうちの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００５１】
[0063]例として、第２のゲーティング間隔３１５および第３のゲーティング間隔３２５の持続時間は、セルラーダウンリンクに関連する周期フレーム構造の持続時間の約数（または、それの近似約数）であることが示されている。いくつかの例では、「の近似約数」は、第２のゲーティング間隔３１５または第３のゲーティング間隔３２５の持続時間が、周期フレーム構造の約数（たとえば、１／２または１／１０）の持続時間のサイクリックプレフィックス（ＣＰ）持続時間内であることを意味する。たとえば、第２のゲーティング間隔３１５は５ミリ秒の持続時間を有し得、第３のゲーティング間隔３２５は２ミリ秒の持続時間を有し得る。第２のゲーティング間隔３１５または第３のゲーティング間隔３２５は、それのより短い持続時間のために、第１のゲーティング間隔３０５よりも有利であり得、このことは、本明細書で説明するＮ／Ｋプロトコルに従って、無認可無線周波数スペクトル帯域のより頻繁な共有を可能にし得る。
【００５２】
[0064]ＣＣＡプロシージャは、ゲーティング間隔（たとえば、第１のゲーティング間隔３０５、第２のゲーティング間隔３１５、または第３のゲーティング間隔３２５）の始まりにおいて実行され得る。いくつかの例では、ＣＣＡプロシージャは、ゲーティング間隔（たとえば、第１のゲーティング間隔３０５、第２のゲーティング間隔３１５、または第３のゲーティング間隔３２５）の始まりにおけるいくつかのシンボル中に実行され得る。ＣＣＡプロシージャを実行するためのシンボルの数は、ゲーティング間隔（たとえば、第１のゲーティング間隔３０５、第２のゲーティング間隔３１５、または第３のゲーティング間隔３２５）の持続時間に依存し得る。いくつかの例では、ＣＣＡプロシージャを実行するためのシンボルの数は、ゲーティング間隔の持続時間の少なくとも５パーセント（たとえば、第１のゲーティング間隔３０５、第２のゲーティング間隔３１５、または第３のゲーティング間隔３２５の持続時間の５パーセント）であり得る。ＣＣＡプロシージャに続いて（たとえば、ＣＣＡプロシージャのためのＯＦＤＭシンボルの直後に）、無認可無線周波数スペクトル帯域にアクセスするための競合に勝ったことを示すための信号（たとえば、チャネル使用ビーコン信号（ＣＵＢＳ：channel usage beacon signal））を送信するために、１つまたは複数のＯＦＤＭシンボルが使用され得る。たとえば、無認可無線周波数スペクトル帯域にアクセスするための競合に勝ったことを示すための信号を送信するために使用される１つまたは複数のＯＦＤＭシンボルは、固定送信時間（たとえば、時間とともに変動しない送信時間）において送信され得る。無認可無線周波数スペクトル帯域にアクセスするための競合に勝ったことを示すために送信される信号は、いくつかの例では、基地局によって送信され、移動局が基地局と同期することを可能にし得る。また、無認可無線周波数スペクトル帯域にアクセスするための競合に勝ったことを示すために送信される信号は、電気通信ネットワークに関係する様々な情報を含み得る。
【００５３】
[0065]５つの個々の１ミリ秒のサブフレームを有する５ミリ秒の第２のゲーティング間隔３１５またはＬＢＴフレームの場合、および例として、第１のサブフレームは、無認可無線周波数スペクトル帯域にアクセスするための競合に勝ったとき、ダウンリンクＣＣＡを実行するための無音の４つのＯＦＤＭシンボルと、チャネル使用ビーコン信号（ＣＵＢＳ）を送信するための１つまたは複数のＯＦＤＭシンボルとを含み得る。第２のゲーティング間隔３１５の第１のサブフレームの残りのＯＦＤＭシンボルは、ＰＤＳＣＨの送信のために使用され得る。第２のゲーティング間隔３１５の第２〜第５のサブフレームのＯＦＤＭシンボルも、ＰＤＳＣＨの送信のために使用され得る。場合によっては、ＰＤＳＣＨは第２のサブフレームのＯＦＤＭシンボルで開始し得る。代替的に、第２のゲーティング間隔３１５のためのＣＣＡおよびＣＵＢＳは、第２のゲーティング間隔３１５に先行する５ミリ秒のゲーティング間隔の終わりに再配置され得る。無線リソース制御（ＲＲＣ）シグナリングは、ＰＤＳＣＨのためのサブフレーム毎依存開始ＯＦＤＭシンボルをアドレス指定するために使用され得る。代替的に、ＰＤＳＣＨのための開始ＯＦＤＭシンボルは、クロスキャリア許可において動的に示され得る。いくつかの例では、第２のゲーティング間隔３１５の第２のサブフレームの最初のｎ個のＯＦＤＭシンボルは、場合によっては、制御チャネル送信のために使用され得る。
【００５４】
[0066]無認可無線周波数スペクトル帯域を使用する補足ダウンリンク動作モードでは、およびいくつかの例では、基地局は、５つのダウンリンクサブフレームを有する５ミリ秒の第２のゲーティング間隔３１５を採用し得、５つのサブフレームのうちの最後のものはスペシャルサブフレームである。スペシャルサブフレームは、ＣＣＡプロシージャを実行するために予約された部分を有し得る。無認可無線周波数スペクトル帯域を使用する時間領域複信（ＴＤＤ）動作モードでは、およびいくつかの例では、基地局は、ダウンリンクサブフレームと、アップリンクＣＣＡを実行するためのスペシャルサブフレームと、３つのアップリンクサブフレームとを含むフレームのセットなど、アップリンクサブフレームおよびダウンリンクサブフレームの動的に選択された構成を有する５ミリ秒の第２のゲーティング間隔３１５を採用し得る。
【００５５】
[0067]２ミリ秒の第３のゲーティング間隔３２５またはＬＢＴフレームの場合、および例として、第１のサブフレームは、ダウンリンクＣＣＡを実行するための無音の２つまたはそれより少ないＯＦＤＭシンボルと、ＣＵＢＳを送信するための１つまたは複数のＯＦＤＭシンボルとを含み得る。第３のゲーティング間隔３２５の第１のサブフレームの残りのＯＦＤＭシンボルは、ＰＤＳＣＨの送信のために使用され得る。第３のゲーティング間隔３２５の第２のサブフレームのＯＦＤＭシンボルも、ＰＤＳＣＨの送信のために使用され得る。場合によっては、ＰＤＳＣＨは第２のサブフレームのＯＦＤＭシンボルで開始し得る。代替的に、第３のゲーティング間隔３２５のためのＣＣＡおよびＣＵＢＳは、第３のゲーティング間隔３２５に先行する２ミリ秒のゲーティング間隔の終わりに再配置され得る。いくつかの例では、第３のゲーティング間隔３２５の第２のサブフレームの最初のｎ個のＯＦＤＭシンボルは、場合によっては、制御チャネル送信のために使用され得る。
【００５６】
[0068]２ミリ秒の第３のゲーティング間隔３２５は、それが、他の事業者のＣＥＴを保護するためのオーバーヘッドをさらに低減し得るという点で有用であり得る。２ミリ秒の第３のゲーティング間隔３２５はまた、無認可無線周波数スペクトル帯域にアクセスするための遅延を最小限に抑え得る。無認可無線周波数スペクトル帯域を使用するＴＤＤ動作モードでは、およびいくつかの例では、いくつかの２ミリ秒の第３のゲーティング間隔３２５の各々は、アップリンクＬＢＴフレームまたはダウンリンクＬＢＴフレームに対応し得る。
【００５７】
[0069]より短いゲーティング間隔は、Ｎ／Ｋプロトコルの適用と相まって、レーダー信号の検出により好適であり得る。たとえば、２ミリ秒のゲーティング間隔およびＮ＝４とＫ＝１とを用いるＮ／Ｋプロトコルは、ＦＣＣレーダー信号検出に有用であり得る。
【００５８】
[0070]ゲーティング間隔またはＬＢＴフレームの始まりに（たとえば、第１のゲーティング間隔３０５、第２のゲーティング間隔３１５、または第３のゲーティング間隔３２５の始まりに）、または前のゲーティング間隔またはＬＢＴフレームの終わりに、ゲーティング間隔と同期され、ＬＢＴフレームへのアクセスを求めて競合することを望むいくつかの基地局の各々によってＣＣＡは実行され得る。ＬＢＴフレームへのアクセスを得ると、基地局は、ＬＢＴフレーム中に無認可無線周波数スペクトル帯域へのアクセスを予約するために、または１つまたは複数のモバイルデバイスがＬＢＴフレームに同期することを可能にするために、ＣＵＢＳを送信し得る。事業者の基地局は同期的に動作させられるが、異なる事業者の基地局は非同期的に動作させられるとき、異なる事業者によって共有される無認可無線周波数スペクトル帯域へのアクセスが非同期動作プロトコル（たとえば、Ｎ／Ｋプロトコル）によって管理され、ＣＵＢＳの検出によって管理されないので、ＣＵＢＳは固定持続時間を有し得る。
【００５９】
[0071]第１の事業者の第１の基地局の送信が第２の事業者の第２の基地局の送信と非同期である非同期事業者の場合、無認可無線周波数スペクトル帯域の共有は、Ｎ個の連続するＬＢＴフレームの間ＣＣＡの実行に成功した基地局が、次のＫ個のＬＢＴフレーム上でのＬＢＴプロシージャに参加しない、Ｎ／Ｋプロトコルの使用によって可能にされ得る。このようにして、たとえば、第２の事業者の第２の基地局は、第１の事業者のＣＣＡおよび第２の事業者のＣＣＡが実行される時間順序（すなわち、第１の事業者のＣＣＡ優先度および第２の事業者のＣＣＡ優先度）をＬＢＴフレームごとに同期的に変更するためのプロシージャがないにもかかわらず、無認可無線周波数スペクトル帯域のチャネルへのアクセスを獲得する機会を与えられ得る。Ｎの値は、たとえば、２つ、３つ、４つ、または５つのＬＢＴフレームであり得、Ｋの値は、たとえば、０または１つのＬＢＴフレームであり得る。ＬＢＴフレームの持続時間は、それぞれのゲーティング間隔（たとえば、第１のゲーティング間隔３０５、第２のゲーティング間隔３１５、および第３のゲーティング間隔３２５）によって表されるように、たとえば、１０ミリ秒、５ミリ秒、または２ミリ秒であり得る。１０ミリ秒の第１のゲーティング間隔３０５またはＬＢＴフレームは、ＬＴＥ／ＬＴＥ−Ａ無線フレーム３１０の持続時間に対応する。
【００６０】
[0072]図４に、本開示の様々な態様による、無認可無線周波数スペクトル帯域における非同期事業者（たとえば、事業者１、事業者２、および事業者３）のＣＥＴ送信のためのリソース割振りの一例４００を示す。図示のように、ＣＥＴのためのリソースの割振りは、たとえば、８０ミリ秒（８０ｍｓ）ごとに１回行われ得る。したがって、ＬＢＴフレームの長さが１０ミリ秒であるとき、ＣＥＴのためのリソースは、第８のＬＢＴフレームごとに割り振られ得る（たとえば、事業者１の場合、第１のＣＥＴ４１０および第２のＣＥＴ４２０のためのリソースは、第１のＬＢＴフレーム４０５および第２のＬＢＴフレーム４１５中にそれぞれ割り振られ得、事業者２の場合、第３のＣＥＴ４３０および第４のＣＥＴ４４０のためのリソースは、第３のＬＢＴフレーム４２５および第４のＬＢＴフレーム４３５中にそれぞれ割り振られ得、事業者３の場合、第５のＣＥＴ４５０および第６のＣＥＴ４６０のためのリソースは、第５のＬＢＴフレーム４４５および第６のＬＢＴフレーム４５５中にそれぞれ割り振られ得る）。代替例では、ＬＢＴフレームの持続時間はより短いまたはより長いことがあり得、またはＣＥＴリソースはより多いまたはより少ない頻度で（たとえば、５０ミリ秒ごとに１回、１６０ミリ秒ごとに１回、または３２０ミリ秒ごとに１回）割り振られ得る。
【００６１】
[0073]ＣＥＴを送信するとき、事業者（たとえば、事業者１、事業者２、および事業者３）は、無認可無線周波数スペクトル帯域へのアクセスを最初に獲得するために、ＣＣＡプロシージャを実行する必要がない。代わりに、事業者（たとえば、事業者１、事業者２、および事業者３）の各々は、第１のＣＥＴ４１０、第２のＣＥＴ４２０、第３のＣＥＴ４３０、第４のＣＥＴ４４０、第５のＣＥＴ４５０、および第６のＣＥＴ４６０を送信する目的でＣＣＡプロシージャを実行することを免除される。
【００６２】
[0074]事業者（たとえば、事業者１、事業者２、および事業者３）は非同期的に動作するので、異なる事業者の第１のＣＥＴ４１０、第２のＣＥＴ４２０、第３のＣＥＴ４３０、第４のＣＥＴ４４０、第５のＣＥＴ４５０、および第６のＣＥＴ４６０のタイミングは、すべての事業者（たとえば、事業者１、事業者２、および事業者３）によって理解される特定のＣＥＴ期間に制限されず、タイミングギャップによって分離され得る。そのような構造は、ダウンリンクサブフレームとアップリンクサブフレームの両方に適用可能であり得る。
【００６３】
[0075]いくつかの例では、各ＣＥＴは、発見信号（たとえば、同期信号または基準信号）、システム情報、または構成情報を含み得る。いくつかの例では、構成情報は、拡張物理ブロードキャストチャネル（ｅＰＢＣＨ）または物理ダウンリンク共有チャネル（ＰＤＳＣＨ）の一部として送信され得る。無認可無線周波数スペクトル帯域を使用する補足ダウンリンクモードで動作させられる基地局の場合、ＣＥＴは、場合によっては、発見信号＋グローバルセル識別子（すなわち、グローバルセルＩＤ）を含み得る。無認可無線周波数スペクトル帯域を使用するスタンドアロンモードで動作させられる基地局の場合、ＣＥＴは、場合によっては、システム情報および場合によってはページングチャネル情報のフルセットを含み得る。
【００６４】
[0076]図５に、本開示の様々な態様による、無認可無線周波数スペクトル帯域上での、３つのそれぞれの非同期事業者（たとえば、事業者１、事業者２、および事業者３）の３つの基地局の例示的な送信５００を示す。図示のように、事業者１は、ＣＣＡ５３５を実行した後、第１のＬＢＴフレーム５０５中に、無認可無線周波数スペクトル帯域へのアクセスを獲得し得る。しかしながら、事業者１は、第１のＬＢＴフレーム５０５のサブフレーム３およびサブフレーム４の一部中に、事業者３が第５のＬＢＴフレーム５２５のサブフレーム５中にＣＥＴを送信することに気づいているので、事業者１は、第１のＬＢＴフレーム５０５のサブフレーム３およびサブフレーム４中に送信を中断し得る。送信の中断は、オーバーヘッドを制限するために、事業者３のＣＥＴと重複するサブフレーム（または他の送信期間）に限定され得る。第１のＬＢＴフレーム５０５のサブフレーム５中に、事業者１はそれ自体のＣＥＴを送信し得る。その後、事業者１は、第１のＬＢＴフレーム５０５のサブフレーム６と、サブフレーム７と、サブフレーム８と、サブフレーム９の一部とにおいて、無認可無線周波数スペクトル帯域上でそれの送信を続け得る。第１のＬＢＴフレーム５０５のサブフレーム９の後半において、事業者１は、ＣＣＡ５４０の実行に成功した後、第２のＬＢＴフレーム５１０中に、無認可無線周波数スペクトル帯域へのアクセスを獲得し得る。事業者１は、第２のＬＢＴフレーム５１０のサブフレーム６およびサブフレーム７の一部中に、事業者２が第４のＬＢＴフレーム５２０のサブフレーム５中にＣＥＴを送信することに気づいているので、事業者１は、第２のＬＢＴフレーム５１０のサブフレーム６およびサブフレーム７中に送信を中断し得る。第２のＬＢＴフレーム５１０のサブフェイム８およびサブフレーム９中に、ならびに第２のＬＢＴフレーム５１０の全体へのアクセスを獲得するためにＣＣＡ５４０が実行されたので、事業者１は、場合によっては、サブフレーム８およびサブフレーム９において送信を続け得る。しかしながら、事業者１がサブフレーム６およびサブフレーム７中に送信を中断するとき、他のデバイスが無認可無線周波数スペクトル帯域へのアクセスを獲得する機会が存在する。たとえば、事業者２によって送信されたＣＥＴがサブフレーム６およびサブフレーム７の持続時間を満たさないので、別の送信装置（たとえば、Ｗｉ−Ｆｉ装置）は、ＣＣＡを実行し、無認可無線周波数スペクトル帯域へのアクセスを獲得する機会を有し得る。図５は、事業者１、事業者２、および事業者３が送信していないサブフレーム７の部分中に、Ｗｉ−Ｆｉ装置（図示せず）が無認可無線周波数スペクトル帯域へのアクセスを獲得することを仮定する。その結果、および例として、図５は、事業者１が、サブフレーム７、サブフレーム８、およびサブフレーム９中に送信を中断することを示す。Ｗｉ−Ｆｉ装置が第２のＬＢＴフレーム５１０のサブフレーム８を通して送信し続けると仮定すると、第６のＬＢＴフレーム５３０のサブフレーム９中に事業者３によって実行されるＣＣＡ５６０は成功しないことがある。したがって、事業者３がＣＣＡ５６０を実行するとき、事業者１および事業者２が無認可無線周波数スペクトル帯域へのアクセスを有しないという事実にもかかわらず、事業者３は、次のＬＢＴフレームへのアクセスを獲得することが可能でないことがある。
【００６５】
[0077]事業者１、事業者２、および事業者３によって実行されるＣＣＡの非同期タイミング、およびＣＣＡ５４５、５５０、５５５、および５６０のタイミングの関係により、事業者１は、事業者２および事業者３が第３のＬＢＴフレーム５１５、第４のＬＢＴフレーム５２０、および第５のＬＢＴフレーム５２５中に無認可無線周波数スペクトル帯域にアクセスすることを妨げ得る。しかしながら、事業者１が、Ｎ＝２とＫ＝１とを用いるＮ／Ｋプロトコルを実装する場合、事業者１は、第２のＬＢＴフレーム５１０に続く無認可無線周波数スペクトル帯域を放棄し、それにより、事業者２が、第４のＬＢＴフレーム５２０に続く無認可無線周波数スペクトル帯域へのアクセスを獲得することを可能にし得る（すなわち、第２のＬＢＴフレーム５１０のサブフレーム７中に無認可無線周波数スペクトル帯域へのアクセスを獲得したＷｉ−Ｆｉデバイスが送信を中断したと仮定する）。
【００６６】
[0078]事業者１が、第４のＬＢＴフレーム５２０のサブフレーム５における事業者２のＣＥＴ中に、および第５のＬＢＴフレーム５２５のサブフレーム５における事業者３のＣＥＴ中に送信を中断するので、事業者２および事業者３の基地局がそれのためにサービング基地局として機能するモバイルデバイスは、事業者１の（１つまたは複数の）基地局からの低減された干渉により、それらのそれぞれのサービング基地局のＣＥＴをより良く検出することが可能であり得る。ＣＥＴは、場合によっては、無線リソース管理（ＲＲＭ）測定のために使用され得、したがって、検出可能である必要がある。
【００６７】
[0079]図６〜図１３に関して説明するように、第１の事業者の第１の基地局は、第２の事業者の第２の基地局のＣＥＴタイミング情報を監視するために、無認可無線周波数スペクトル帯域上での送信を周期的に中断する必要があり得る。第２の事業者の第２の基地局のＣＥＴの送信タイミングを識別した後、第１の事業者の第１の基地局は、（たとえば、第２の基地局のＣＥＴを保護するために）第２の事業者の第２の基地局のＣＥＴの送信タイミング中に、送信を中断し得る。
【００６８】
[0080]保護されたＣＥＴは、ダウンリンクＣＥＴを含み得、場合によっては、アップリンクＣＥＴを含み得る。基地局のアップリンクＣＥＴのためのＣＥＴタイミング情報は、基地局のダウンリンクＣＥＴにおいて広告され得る。
【００６９】
[0081]図６に、本開示の様々な態様による、ワイヤレス通信において使用するための装置６０５のブロック図６００を示す。いくつかの例では、装置６０５は、図１または図２に関して説明した基地局１０５または２０５の１つまたは複数の態様の一例であり得る。装置６０５はまた、図１または図２に関して説明したモバイルデバイス１１５または２１５の１つまたは複数の態様の一例であり得る。装置６０５はまた、プロセッサであり得る。装置６０５は、受信機モジュール６１０、ワイヤレス通信管理モジュール６２０、または送信機モジュール６３０を含み得る。これらの構成要素の各々は互いと通信していることがある。
【００７０】
[0082]装置６０５の構成要素は、個々にまたはまとめて、ハードウェアで適用可能な機能の一部または全部を実行するように適応された１つまたは複数の特定用途向け集積回路（ＡＳＩＣ）を使用して実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００７１】
[0083]いくつかの例では、受信機モジュール６１０は、認可無線周波数スペクトル帯域（たとえば、無線周波数スペクトル帯域が特定の使用のために特定のユーザに認可されているので、装置がそれのためにアクセスを求めて競合しない無線周波数スペクトル帯域）、または無認可無線周波数スペクトル帯域（たとえば、無線周波数スペクトル帯域が無認可使用のために利用可能であるので、装置がそれのためにアクセスを求めて競合する必要があり得る、Ｗｉ−Ｆｉ無線周波数スペクトル帯域などの無線周波数スペクトル帯域）上での送信を受信するように動作可能な少なくとも１つの無線周波数（ＲＦ）受信機など、少なくとも１つのＲＦ受信機を含み得る。いくつかの例では、認可無線周波数スペクトル帯域と無認可無線周波数スペクトル帯域の両方が、たとえば、図１または図２に関して説明したように、ＬＴＥ／ＬＴＥ−Ａ通信のために使用され得る。受信機モジュール６１０は、図１または図２に関して説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、認可無線周波数スペクトル帯域または無認可無線周波数スペクトル帯域上で確立され得る。
【００７２】
[0084]いくつかの例では、送信機モジュール６３０は、認可無線周波数スペクトル帯域または無認可無線周波数スペクトル帯域上で送信するように動作可能な少なくとも１つのＲＦ送信機など、少なくとも１つのＲＦ送信機を含み得る。送信機モジュール６３０は、図１または図２に関して説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、認可無線周波数スペクトル帯域または無認可無線周波数スペクトル帯域上で確立され得る。
【００７３】
[0085]装置６０５が第１の事業者の第１の基地局として構成される装置６０５の例では、ワイヤレス通信管理モジュール６２０は、第２の事業者の第２の基地局のＣＥＴタイミング情報を監視するために装置６０５によって使用され得る。ワイヤレス通信管理モジュール６２０は、次いで、監視することに少なくとも部分的に基づいて、第２の事業者の第２の基地局のＣＥＴの送信タイミングを識別し、第２の事業者の第２の基地局のＣＥＴの送信タイミング中に、第１の事業者の第１の基地局の送信を中断し得る。第２の事業者の第２の基地局の送信は、第１の事業者の第１の基地局の送信と非同期であり得る。
【００７４】
[0086]装置６０５が第１の事業者の第１の基地局として構成されるいくつかの例では、ワイヤレス通信管理モジュール６２０は、第２の事業者の第２の基地局から直接、ＣＥＴタイミング情報を検出することによって、ＣＥＴタイミング情報を監視し得る。同じまたは他の例では、ワイヤレス通信管理モジュール６２０は、第１の事業者の第１の基地局の第１のセル中にあるモバイルデバイスから報告を受信することによって、ＣＥＴタイミング情報を監視し得る。ワイヤレス通信管理モジュール６２０は、次いで、モバイルデバイスからの報告に少なくとも部分的に基づいて、第２の事業者の第２の基地局のＣＥＴの送信タイミングを識別し得る。
【００７５】
[0087]装置６０５がモバイルデバイスとして構成される装置６０５の例では、ワイヤレス通信管理モジュール６２０は、モバイルデバイスからの報告を生成するために使用され得る。モバイルデバイスからの報告は様々な形態をとり得る。一例では、モバイルデバイスからの報告は、第１の事業者の第１の基地局と第２の事業者の第２の基地局との間のタイミング差（たとえば、第１の事業者の第１のＰＬＭＮと第２の事業者の第２のＰＬＭＮとの間のタイミング差）を含み得、ここにおいて、モバイルデバイスは、第１の事業者の第１の基地局によってサービスされる。タイミング差は、場合によっては、システムフレーム番号（ＳＦＮ）、サブフレーム番号差、およびサブフレーム内のタイミング差として報告され得る。別の例では、モバイルデバイスからの報告は、基準ＣＥＴタイミングと第２の事業者の第２の基地局のＣＥＴの送信タイミングとの間のタイミング差を含み得る。さらに上記および他の例では、モバイルデバイスからの報告は、第２の事業者のＰＬＭＮ識別子を含み得、モバイルデバイスは、第１の事業者のＰＬＭＮのメンバーである。第２の事業者のＰＬＭＮ識別子は、第２の事業者の第２の基地局のＣＥＴの送信タイミングを識別する際に使用するために、報告がインデックス付けされることを可能にする。
【００７６】
[0088]図７に、本開示の様々な態様による、ワイヤレス通信において使用するための装置７０５のブロック図７００を示す。いくつかの例では、装置７０５は、図１または図２に関して説明した基地局１０５または２０５の１つまたは複数の態様の一例、あるいは図６に関して説明した装置６０５の１つまたは複数の態様の一例であり得る。装置７０５はまた、プロセッサであり得る。装置７０５は、受信機モジュール７１０、ワイヤレス通信管理モジュール７２０、または送信機モジュール７３０を含み得る。これらの構成要素の各々は互いと通信していることがある。
【００７７】
[0089]装置７０５の構成要素は、個々にまたはまとめて、ハードウェアで適用可能な機能の一部または全部を実行するように適応された１つまたは複数のＡＳＩＣを使用して実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００７８】
[0090]いくつかの例では、受信機モジュール７１０は、認可無線周波数スペクトル帯域（たとえば、無線周波数スペクトル帯域が特定の使用のために特定のユーザに認可されているので、装置がそれのためにアクセスを求めて競合しない無線周波数スペクトル帯域）、または無認可無線周波数スペクトル帯域（たとえば、無線周波数スペクトル帯域が無認可使用のために利用可能であるので、装置がそれのためにアクセスを求めて競合する必要があり得る、Ｗｉ−Ｆｉ無線周波数スペクトル帯域などの無線周波数スペクトル帯域）上での送信を受信するように動作可能な少なくとも１つのＲＦ受信機など、少なくとも１つのＲＦ受信機を含み得る。いくつかの例では、認可無線周波数スペクトル帯域と無認可無線周波数スペクトル帯域の両方が、たとえば、図２に関して説明したように、ＬＴＥ／ＬＴＥ−Ａ通信のために使用され得る。受信機モジュール７１０は、図１または図２に関して説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、認可無線周波数スペクトル帯域または無認可無線周波数スペクトル帯域上で確立され得る。
【００７９】
[0091]いくつかの例では、送信機モジュール７３０は、認可無線周波数スペクトル帯域または無認可無線周波数スペクトル帯域上で送信するように動作可能な少なくとも１つのＲＦ送信機など、少なくとも１つのＲＦ送信機を含み得る。送信機モジュール７３０は、図１または図２に関して説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、認可無線周波数スペクトル帯域または無認可無線周波数スペクトル帯域上で確立され得る。
【００８０】
[0092]いくつかの例では、ワイヤレス通信管理モジュール７２０は、図６に関して説明したワイヤレス通信管理モジュール６２０の１つまたは複数の態様の一例であり得る。ワイヤレス通信管理モジュール７２０は、ＣＥＴタイミング情報監視モジュール７３５、ＣＥＴ送信タイミング識別モジュール７４０、または送信中断管理モジュール７４５を含み得る。これらの構成要素の各々は互いと通信していることがある。
【００８１】
[0093]いくつかの例では、ＣＥＴタイミング情報監視モジュール７３５は、第２の事業者の第２の基地局のＣＥＴタイミング情報を監視するために、第１の事業者の第１の基地局によって使用され得る。（たとえば、ＣＥＴを含む）第２の事業者の第２の基地局の送信は、第１の事業者の第１の基地局の送信と非同期であり得る。いくつかの例では、第１の基地局は、図１または図２に関して説明した基地局１０５または２０５であり得る。
【００８２】
[0094]いくつかの例では、ＣＥＴ送信タイミング識別モジュール７４０は、監視することに少なくとも部分的に基づいて、第２の事業者の第２の基地局のＣＥＴの送信タイミングを識別するために使用され得る。
【００８３】
[0095]いくつかの例では、送信中断管理モジュール７４５は、第２の事業者の第２の基地局のＣＥＴの送信タイミング中に、第１の事業者の第１の基地局の送信を中断するために使用され得る。いくつかの例では、送信中断管理モジュール７４５は、第２の事業者の第２の基地局のＣＥＴの送信タイミングと重複する１つまたは複数のＬＢＴフレーム、サブフレーム、または他の送信増分の間、送信を中断し得る。
【００８４】
[0096]装置７０５のいくつかの例では、送信中断管理モジュール７４５は、１つまたは複数の事業者（たとえば、Ｌ個の事業者）の基地局のＣＥＴの送信タイミング中に、第１の事業者の第１の基地局の送信を中断し得る。Ｌ個の事業者の各々のＣＥＴがＴ（ＣＥＴ）ミリ秒の期間を有するとき、第１の事業者の第１の基地局の送信を中断するための最大オーバーヘッドは、２Ｌ／Ｔ（ＣＥＴ）ミリ秒であり、ここで、量２Ｌは、第１の事業者の第１の基地局の２つの１ミリ秒のサブフレームと重複する第２または追加の事業者の基地局のＣＥＴを考慮する。
【００８５】
[0097]装置７０５のいくつかの例では、送信中断管理モジュール７４５は、１つまたは複数の事業者（たとえば、Ｌ個の事業者）の基地局のアップリンクＣＥＴとダウンリンクＣＥＴの両方の送信タイミング中に、第１の事業者の第１の基地局の送信を中断し得る。Ｌ個の事業者の各々のアップリンクＣＥＴおよびダウンリンクＣＥＴがＴ（ＣＥＴ）ミリ秒の期間を有するとき、第１の事業者の第１の基地局の送信を中断するための最大オーバーヘッドは、４Ｌ／Ｔ（ＣＥＴ）ミリ秒（たとえば、２×２Ｌ／Ｔ（ＣＥＴ）ミリ秒）である。
【００８６】
[0098]図８に、本開示の様々な態様による、ワイヤレス通信において使用するための装置８０５のブロック図８００を示す。いくつかの例では、装置８０５は、図１または図２に関して説明した基地局１０５または２０５の１つまたは複数の態様、あるいは図６または図７に関して説明した装置６０５または７０５の１つまたは複数の態様の一例であり得る。装置８０５はまた、プロセッサであり得る。装置８０５は、受信機モジュール８１０、ワイヤレス通信管理モジュール８２０、または送信機モジュール８３０を含み得る。これらの構成要素の各々は互いと通信していることがある。
【００８７】
[0099]装置８０５の構成要素は、個々にまたはまとめて、ハードウェアで適用可能な機能の一部または全部を実行するように適応された１つまたは複数のＡＳＩＣを使用して実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００８８】
[0100]いくつかの例では、受信機モジュール８１０は、認可無線周波数スペクトル帯域（たとえば、無線周波数スペクトル帯域が特定の使用のために特定のユーザに認可されているので、装置がそれのためにアクセスを求めて競合しない無線周波数スペクトル帯域）、または無認可無線周波数スペクトル帯域（たとえば、無線周波数スペクトル帯域が無認可使用のために利用可能であるので、装置がそれのためにアクセスを求めて競合する必要があり得る、Ｗｉ−Ｆｉ無線周波数スペクトル帯域などの無線周波数スペクトル帯域）上での送信を受信するように動作可能な少なくとも１つのＲＦ受信機など、少なくとも１つのＲＦ受信機を含み得る。いくつかの例では、認可無線周波数スペクトル帯域と無認可無線周波数スペクトル帯域の両方が、たとえば、図２に関して説明したように、ＬＴＥ／ＬＴＥ−Ａ通信のために使用され得る。受信機モジュール８１０は、場合によっては、認可無線周波数スペクトル帯域および無認可無線周波数スペクトル帯域のための別個の受信機を含み得る。別個の受信機は、いくつかの例では、認可無線周波数スペクトル帯域上で通信するための認可ＲＦスペクトル帯域受信機モジュール８１２、および無認可無線周波数スペクトル帯域上で通信するための無認可ＲＦスペクトル帯域受信機モジュール８１４の形態をとり得る。認可ＲＦスペクトル帯域受信機モジュール８１２または無認可ＲＦスペクトル帯域受信機モジュール８１４を含む受信機モジュール８１０は、図１または図２に関して説明したワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、認可無線周波数スペクトル帯域または無認可無線周波数スペクトル帯域上で確立され得る。
【００８９】
[0101]いくつかの例では、送信機モジュール８３０は、認可無線周波数スペクトル帯域または無認可無線周波数スペクトル帯域上で送信するように動作可能な少なくとも１つのＲＦ送信機など、少なくとも１つのＲＦ送信機を含み得る。送信機モジュール８３０は、場合によっては、認可無線周波数スペクトル帯域および無認可無線周波数スペクトル帯域のための別個の送信機を含み得る。別個の送信機は、いくつかの例では、認可無線周波数スペクトル帯域上で通信するための認可ＲＦスペクトル帯域送信機モジュール８３２、および無認可無線周波数スペクトル帯域上で通信するための無認可ＲＦスペクトル帯域送信機モジュール８３４の形態をとり得る。認可ＲＦスペクトル帯域送信機モジュール８３２または無認可ＲＦスペクトル帯域送信機モジュール８３４を含む送信機モジュール８３０は、図１または図２に関して説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、認可無線周波数スペクトル帯域または無認可無線周波数スペクトル帯域上で確立され得る。
【００９０】
[0102]いくつかの例では、ワイヤレス通信管理モジュール８２０は、図６または図７に関して説明したワイヤレス通信管理モジュール６２０または７２０の１つまたは複数の態様の一例であり得る。ワイヤレス通信管理モジュール８２０は、ダウンリンクＣＣＡ管理モジュール８３５、ＣＥＴ送信管理モジュール８４０、ＣＥＴタイミング情報監視モジュール８４５、ＣＥＴ送信タイミング識別モジュール８６０、または送信中断管理モジュール８６５を含み得る。これらの構成要素の各々は互いと通信していることがある。
【００９１】
[0103]ダウンリンクＣＣＡ管理モジュール８３５は、ＬＢＴフレームのいくつかのＯＦＤＭシンボル中にダウンリンクＣＣＡを実行するために使用され得る。例として、ＬＢＴフレームは、２ミリ秒、５ミリ秒、または１０ミリ秒の持続時間を有し得る。いくつかのＯＦＤＭシンボルは、ＬＢＴフレームの第１のサブフレームの始まりにおいて起こり得る。
【００９２】
[0104]ＣＥＴ送信管理モジュール８４０は、第１の基地局のＣＥＴを送信するために第１の事業者の第１の基地局によって使用され得る。第１の事業者の第１の基地局のＣＥＴは、第１の事業者の第１の基地局のためのシステム構成情報を含み得る。いくつかの例では、第１の基地局は、図１または図２に関して説明した基地局１０５または２０５であり得る。いくつかの例では、第１の事業者の第１の基地局のためのシステム構成情報は、ＬＢＴフレームの構成に関する情報を含み得る。いくつかの例では、ＬＢＴフレームの構成に関する情報は、ＬＢＴフレームの持続時間を２ミリ秒、５ミリ秒、または１０ミリ秒として示し得る。
【００９３】
[0105]ＣＥＴタイミング情報監視モジュール８４５は、第２の事業者の第２の基地局のＣＥＴタイミング情報を監視するために、第１の事業者の第１の基地局によって使用され得る。（たとえば、ＣＥＴを含む）第２の事業者の第２の基地局の送信は、第１の事業者の第１の基地局の送信と非同期であり得る。
【００９４】
[0106]いくつかの例では、ＣＥＴタイミング情報監視モジュール８４５は、ＣＥＴ監視モジュール８５０または報告監視モジュール８５５を含み得る。ＣＥＴ監視モジュール８５０を含む装置８０５の例では、ＣＥＴ監視モジュール８５０は、第２の事業者の第２の基地局から直接、第２の事業者の第２の基地局のためのＣＥＴタイミング情報を検出するために使用され得る。ＣＥＴ監視モジュール８５０は、同じくまたは代替的に、第２の事業者の第２の基地局のＣＥＴの送信を検出するために、複数の時間間隔の各々の少なくとも１つの時間サブ間隔中に、第１の事業者の第１の基地局のデータ送信の中止をトリガし得る。たとえば、ＣＥＴ監視モジュール８５０は、第２の事業者の第２の基地局のＣＥＴの送信を検出するために、Ｍ秒（または分）ごとに、ＣＥＴ期間の一部または全部中に（たとえば、図４に関して説明したＣＥＴ期間の一部または全部の間）、第１の事業者の第１の基地局のデータ送信の中止をトリガし得る。いくつかの例では、少なくとも１つの時間サブ間隔は、複数の時間間隔のうちの第１の時間間隔から複数の時間間隔のうちの第２の時間間隔に変化し得る。たとえば、ＣＥＴ監視モジュール８５０は、１つのＭ秒時間間隔中に、ＣＥＴ期間の第１のＫミリ秒の間、第１の事業者の第１の基地局の送信の中止をトリガし得、次のＭ秒時間間隔中に、ＣＥＴ期間の異なるＫミリ秒の間、データ送信の中止をトリガし得る。
【００９５】
[0107]報告監視モジュール８５５を含む装置８０５の例では、報告監視モジュール８５５は、第１の事業者の第１の基地局の第１のセル中にあるモバイルデバイスから報告を受信するために使用され得る。
【００９６】
[0108]モバイルデバイスからの報告は様々な形態をとり得る。一例では、モバイルデバイスからの報告は、第１の事業者の第１の基地局と第２の事業者の第２の基地局との間のタイミング差（たとえば、第１の事業者の第１のＰＬＭＮと第２の事業者の第２のＰＬＭＮとの間のタイミング差）を含み得、ここにおいて、モバイルデバイスは、第１の事業者の第１の基地局によってサービスされる。タイミング差は、場合によっては、ＳＦＮ差、サブフレーム番号差、およびサブフレーム内のタイミング差として報告され得る。別の例では、モバイルデバイスからの報告は、基準ＣＥＴタイミングと第２の事業者の第２の基地局のＣＥＴの送信タイミングとの間のタイミング差を含み得る。さらに上記および他の例では、モバイルデバイスからの報告は、第２の事業者のＰＬＭＮ識別子を含み得、モバイルデバイスは、第１の事業者のＰＬＭＮのメンバーである。第２の事業者のＰＬＭＮ識別子は、第２の事業者の第２の基地局のＣＥＴの送信タイミングを識別する際に使用するために、報告がインデックス付けされることを可能にする。
【００９７】
[0109]装置８０５のいくつかの例では、モバイルデバイスからの報告は、測定報告（たとえば、基準信号受信電力（ＲＳＲＰ）、基準信号受信品質（ＲＳＲＱ）、または他の測定報告）を用いて受信され得る。
【００９８】
[0110]ＣＥＴ送信タイミング識別モジュール８６０は、監視することに少なくとも部分的に基づいて（およびモバイルデバイスからの報告が受信されたときにそのような報告に少なくとも部分的に基づいて）、第２の事業者の第２の基地局のＣＥＴの送信タイミングを識別するために使用され得る。
【００９９】
[0111]送信中断管理モジュール８６５は、第２の事業者の第２の基地局のＣＥＴの送信タイミング中に、第１の事業者の第１の基地局のセルの送信を中断するために使用され得る。セルは、ＳＤＬ動作モードをサポートする無認可無線周波数スペクトル帯域を使用し得る。いくつかの例では、送信中断管理モジュール８６５は、第２の事業者の第２の基地局のＣＥＴの送信タイミングと重複する１つまたは複数のＬＢＴフレーム、サブフレーム、または他の送信増分の間、送信を中断し得る。
【０１００】
[0112]装置８０５のいくつかの例では、送信中断管理モジュール８６５は、１つまたは複数の事業者（たとえば、Ｌ個の事業者）の基地局のＣＥＴの送信タイミング中に、第１の事業者の第１の基地局の送信を中断し得る。Ｌ個の事業者の各々のＣＥＴがＴ（ＣＥＴ）ミリ秒の期間を有するとき、第１の事業者の第１の基地局の送信を中断するための最大オーバーヘッドは、２Ｌ／Ｔ（ＣＥＴ）ミリ秒であり、ここで、量２Ｌは、第１の事業者の第１の基地局の２つの１ミリ秒のサブフレームと重複する第２または追加の事業者の基地局のＣＥＴを考慮する。
【０１０１】
[0113]装置８０５のいくつかの例では、送信中断管理モジュール８６５は、１つまたは複数の事業者（たとえば、Ｌ個の事業者）の基地局のアップリンクＣＥＴとダウンリンクＣＥＴの両方の送信タイミング中に、第１の事業者の第１の基地局の送信を中断し得る。Ｌ個の事業者の各々のアップリンクＣＥＴおよびダウンリンクＣＥＴがＴ（ＣＥＴ）ミリ秒の期間を有するとき、第１の事業者の第１の基地局の送信を中断するための最大オーバーヘッドは、４Ｌ／Ｔ（ＣＥＴ）ミリ秒（たとえば、２×２Ｌ／Ｔ（ＣＥＴ）ミリ秒）である。
【０１０２】
[0114]図９に、本開示の様々な態様による、ワイヤレス通信において使用するための基地局９０５（たとえば、ｅＮＢの一部または全部を形成する基地局）のブロック図９００を示す。いくつかの例では、基地局９０５は、図１または図２に関して説明した基地局１０５または２０５の１つまたは複数の態様、あるいは（たとえば、基地局として構成されたときの）図６、図７、または図８に関して説明した装置６０５、７０５、または８０５の１つまたは複数の態様の一例であり得る。基地局９０５は、図１、図２、図３、図４、図５、図６、図７、または図８に関して説明した基地局または装置の特徴および機能のうちの少なくともいくつかを実装するかまたは可能にするように構成され得る。
【０１０３】
[0115]基地局９０５は、基地局プロセッサモジュール９１０、基地局メモリモジュール９２０、（（１つまたは複数の）基地局トランシーバモジュール９５０によって表される）少なくとも１つの基地局トランシーバモジュール、（（１つまたは複数の）基地局アンテナ９５５によって表される）少なくとも１つの基地局アンテナ、または基地局ワイヤレス通信管理モジュール９６０を含み得る。基地局９０５はまた、基地局通信モジュール９３０またはネットワーク通信モジュール９４０のうちの１つまたは複数を含み得る。これらの構成要素の各々は、１つまたは複数のバス９３５上で、直接または間接的に互いと通信していることがある。
【０１０４】
[0116]基地局メモリモジュール９２０は、ランダムアクセスメモリ（ＲＡＭ）または読取り専用メモリ（ＲＯＭ）を含み得る。基地局メモリモジュール９２０は、実行されたとき、ワイヤレス通信に関係する本明細書で説明する様々な機能を基地局プロセッサモジュール９１０に実施させるように構成された命令を含んでいるコンピュータ可読、コンピュータ実行可能コード９２５を記憶し得る。代替的に、コード９２５は、基地局プロセッサモジュール９１０によって直接的に実行可能ではないが、（たとえば、コンパイルされ、実行されたとき）本明細書で説明する様々な機能を基地局９０５に実施させるように構成され得る。
【０１０５】
[0117]基地局プロセッサモジュール９１０は、インテリジェントハードウェアデバイス（たとえば、中央処理ユニット（ＣＰＵ）、マイクロコントローラ、ＡＳＩＣなど）を含み得る。基地局プロセッサモジュール９１０は、（１つまたは複数の）基地局トランシーバモジュール９５０、基地局通信モジュール９３０、またはネットワーク通信モジュール９４０を通して受信された情報を処理し得る。基地局プロセッサモジュール９１０はまた、（１つまたは複数の）アンテナ９５５を通した送信のために（１つまたは複数の）トランシーバモジュール９５０に送られるべき情報、１つまたは複数の他の基地局９０５−ａおよび９０５−ｂへの送信のために基地局通信モジュール９３０に送られるべき情報、または図１に関して説明したコアネットワーク１３０の１つまたは複数の態様の一例であり得る、コアネットワーク９４５への送信のためにネットワーク通信モジュール９４０に送られるべき情報を処理し得る。基地局プロセッサモジュール９１０は、単独でまたは基地局ワイヤレス通信管理モジュール９６０とともに、第１の無線周波数スペクトル帯域（たとえば、ＬＴＥ／ＬＴＥ−Ａ通信のために使用可能な認可無線周波数スペクトル帯域など、無線周波数スペクトル帯域が特定の使用のために特定のユーザに認可されているので、装置がそれのためにアクセスを求めて競合しない無線周波数スペクトル帯域）、または第２の無線周波数スペクトル帯域（たとえば、ＬＴＥ／ＬＴＥ−Ａ通信のために使用可能な無認可無線周波数スペクトル帯域など、無線周波数スペクトル帯域が無認可使用のために利用可能であるので、装置がそれのためにアクセスを求めて競合する必要があり得る、Ｗｉ−Ｆｉ無線周波数スペクトル帯域などの無線周波数スペクトル帯域）上で通信すること（またはその帯域上での通信を管理すること）の様々な態様を扱い得る。
【０１０６】
[0118]（１つまたは複数の）基地局トランシーバモジュール９５０は、パケットを変調し、変調されたパケットを送信のために（１つまたは複数の）基地局アンテナ９５５に与え、（１つまたは複数の）基地局アンテナ９５５から受信されたパケットを復調するように構成されたモデムを含み得る。（１つまたは複数の）基地局トランシーバモジュール９５０は、いくつかの例では、１つまたは複数の基地局送信機モジュールおよび１つまたは複数の別個の基地局受信機モジュールとして実装され得る。（１つまたは複数の）基地局トランシーバモジュール９５０は、第１の無線周波数スペクトル帯域または第２の無線周波数スペクトル帯域における通信をサポートし得る。（１つまたは複数の）基地局トランシーバモジュール９５０は、図１または図２に関して説明したモバイルデバイス１１５または２１５のうちの１つまたは複数、あるいは、たとえば、モバイルデバイスとして構成された図６に関して説明した装置６０５など、１つまたは複数の移動局または装置と、（１つまたは複数の）アンテナ９５５を介して、双方向に通信するように構成され得る。基地局９０５は、たとえば、複数の基地局アンテナ９５５（たとえば、アンテナアレイ）を含み得る。基地局９０５は、ネットワーク通信モジュール９４０を通してコアネットワーク９４５と通信し得る。基地局９０５はまた、基地局通信モジュール９３０を使用して、基地局９０５−ａおよび９０５−ｂなど、他の基地局と通信し得る。
【０１０７】
[0119]基地局ワイヤレス通信管理モジュール９６０は、第１の無線周波数スペクトル帯域または第２の無線周波数スペクトル帯域上でのワイヤレス通信に関係する図１、図２、図３、図５、図６、図７、または図８に関して説明した特徴または機能の一部または全部を実行または制御するように構成され得る。たとえば、基地局ワイヤレス通信管理モジュール９６０は、第１の無線周波数スペクトル帯域または第２の無線周波数スペクトル帯域を使用して補足ダウンリンクモードをサポートするように構成され得る。基地局ワイヤレス通信管理モジュール９６０は、第１の無線周波数スペクトル帯域におけるＬＴＥ／ＬＴＥ−Ａ通信を扱うように構成された基地局ＬＴＥ／ＬＴＥ−Ａ認可スペクトルモジュール９６５と、第２の無線周波数スペクトル帯域におけるＬＴＥ／ＬＴＥ−Ａ通信を扱うように構成された基地局ＬＴＥ／ＬＴＥ−Ａ無認可スペクトルモジュール９７０とを含み得る。基地局ワイヤレス通信管理モジュール９６０、またはそれの部分はプロセッサを含み得、あるいは基地局ワイヤレス通信管理モジュール９６０の機能の一部または全部は、基地局プロセッサモジュール９１０によって実行されるか、または基地局プロセッサモジュール９１０とともに実行され得る。
【０１０８】
[0120]図１０に、本開示の様々な態様による、ワイヤレス通信において使用するためのモバイルデバイス１０１５（たとえば、ＵＥ）のブロック図１０００を示す。モバイルデバイス１０１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなど含まれるかまたはそれらの一部であり得る。モバイルデバイス１０１５は、いくつかの例では、モバイル動作を可能にするために、小型バッテリーなどの内部電源（図示せず）を有し得る。いくつかの例では、モバイルデバイス１０１５は、図１または図２に関して説明したモバイルデバイス１１５または２１５の１つまたは複数の態様、あるいは図６に関して説明した装置６０５の１つまたは複数の態様の一例であり得る。モバイルデバイス１０１５は、図１、図２、図３、図５、または図６に関して説明したモバイルデバイスまたは装置の特徴および機能のうちの少なくともいくつかを実装するように構成され得る。
【０１０９】
[0121]モバイルデバイス１０１５は、モバイルデバイスプロセッサモジュール１０１０、モバイルデバイスメモリモジュール１０２０、（（１つまたは複数の）モバイルデバイストランシーバモジュール１０３０によって表される）少なくとも１つのモバイルデバイストランシーバモジュール、（（１つまたは複数の）モバイルデバイスアンテナ１０４０によって表される）少なくとも１つのモバイルデバイスアンテナ、またはモバイルデバイスワイヤレス通信管理モジュール１０６０を含み得る。これらの構成要素の各々は、１つまたは複数のバス１０３５上で、直接または間接的に互いと通信していることがある。
【０１１０】
[0122]モバイルデバイスメモリモジュール１０２０はＲＡＭまたはＲＯＭを含み得る。モバイルデバイスメモリモジュール１０２０は、実行されたとき、ハンドオーバ、セル再選択、または初期アクセスプロシージャに関係する本明細書で説明する様々な機能をモバイルデバイスプロセッサモジュール１０１０に実施させるように構成された命令を含んでいるコンピュータ可読、コンピュータ実行可能コード１０２５を記憶し得る。代替的に、コード１０２５は、モバイルデバイスプロセッサモジュール１０１０によって直接的に実行可能ではないが、（たとえば、コンパイルされ、実行されたとき）本明細書で説明する機能のうちのいくつかをモバイルデバイス１０１５に実施させるように構成され得る。
【０１１１】
[0123]モバイルデバイスプロセッサモジュール１０１０は、インテリジェントハードウェアデバイス（たとえば、ＣＰＵ、マイクロコントローラ、ＡＳＩＣなど）を含み得る。モバイルデバイスプロセッサモジュール１０１０は、（１つまたは複数の）モバイルデバイストランシーバモジュール１０３０を通して受信された情報、または（１つまたは複数の）モバイルデバイスアンテナ１０４０を通した送信のために（１つまたは複数の）モバイルデバイストランシーバモジュール１０３０に送られるべき情報を処理し得る。モバイルデバイスプロセッサモジュール１０１０は、単独でまたはモバイルデバイスワイヤレス通信管理モジュール１０６０とともに、第１の無線周波数スペクトル帯域（たとえば、ＬＴＥ／ＬＴＥ−Ａ通信のために使用可能な認可無線周波数スペクトル帯域など、無線周波数スペクトル帯域が特定の使用のために特定のユーザに認可されているので、装置がそれのためにアクセスを求めて競合しない無線周波数スペクトル帯域）、または第２の無線周波数スペクトル帯域（たとえば、ＬＴＥ／ＬＴＥ−Ａ通信のために使用可能な無認可無線周波数スペクトル帯域など、無線周波数スペクトル帯域が無認可使用のために利用可能であるので、装置がそれのためにアクセスを求めて競合する必要があり得る、Ｗｉ−Ｆｉ無線周波数スペクトル帯域などの無線周波数スペクトル帯域）上で通信すること（またはその帯域上での通信を管理すること）の様々な態様を扱い得る。
【０１１２】
[0124]（１つまたは複数の）モバイルデバイストランシーバモジュール１０３０は、パケットを変調し、変調されたパケットを送信のために（１つまたは複数の）モバイルデバイスアンテナ１０４０に与え、（１つまたは複数の）モバイルデバイスアンテナ１０４０から受信されたパケットを復調するように構成されたモデムを含み得る。（１つまたは複数の）モバイルデバイストランシーバモジュール１０３０は、いくつかの例では、１つまたは複数のモバイルデバイス送信機モジュールおよび１つまたは複数の別個のモバイルデバイス受信機モジュールとして実装され得る。（１つまたは複数の）モバイルデバイストランシーバモジュール１０３０は、第１の無線周波数スペクトル帯域または第２の無線周波数スペクトル帯域における通信をサポートし得る。（１つまたは複数の）モバイルデバイストランシーバモジュール１０３０は、図１または図２に関して説明した基地局１０５または２０５あるいは（たとえば、基地局として構成されたときの）図６に関して説明した装置６０５のうちの１つまたは複数と、（１つまたは複数の）モバイルデバイスアンテナ１０４０を介して、双方向に通信するように構成され得る。モバイルデバイス１０１５は単一のモバイルデバイスアンテナを含み得るが、モバイルデバイス１０１５が複数のモバイルデバイスアンテナ１０４０を含み得る例があり得る。
【０１１３】
[0125]状態モジュール１０５０は、たとえば、ＲＲＣアイドル状態とＲＲＣ接続状態との間のモバイルデバイス１０１５の遷移を管理するために使用され得、１つまたは複数のバス１０３５上で、直接または間接的に、モバイルデバイス１０１５の他の構成要素と通信していることがある。状態モジュール１０５０、またはそれの部分はプロセッサを含み得、あるいは状態モジュール１０５０の機能の一部または全部は、モバイルデバイスプロセッサモジュール１０１０によって実行されるか、またはモバイルデバイスプロセッサモジュール１０１０とともに実行され得る。
【０１１４】
[0126]モバイルデバイスワイヤレス通信管理モジュール１０６０は、第１の無線周波数スペクトル帯域または第２の無線周波数スペクトル帯域上でのワイヤレス通信に関係する図１、図２、図３、図５、または図６に関して説明した特徴または機能の一部または全部を実行または制御するように構成され得る。たとえば、モバイルデバイスワイヤレス通信管理モジュール１０６０は、第１の無線周波数スペクトル帯域または第２の無線周波数スペクトル帯域を使用して補足ダウンリンク動作モードをサポートするように構成され得る。モバイルデバイスワイヤレス通信管理モジュール１０６０は、第１の無線周波数スペクトル帯域におけるＬＴＥ／ＬＴＥ−Ａ通信を扱うように構成されたモバイルデバイスＬＴＥ／ＬＴＥ−Ａ認可スペクトルモジュール１０６５と、第２の無線周波数スペクトルにおけるＬＴＥ／ＬＴＥ−Ａ通信を扱うように構成されたモバイルデバイスＬＴＥ／ＬＴＥ−Ａ無認可スペクトルモジュール１０７０とを含み得る。モバイルデバイスワイヤレス通信管理モジュール１０６０、またはそれの部分はプロセッサを含み得、あるいはモバイルデバイスワイヤレス通信管理モジュール１０６０の機能の一部または全部は、モバイルデバイスプロセッサモジュール１０１０によって実行されるか、またはモバイルデバイスプロセッサモジュール１０１０とともに実行され得る。
【０１１５】
[0127]図１１は、本開示の様々な態様による、ワイヤレス通信のための方法１１００の一例を示すフローチャートである。明快のために、方法１１００について、図１、図２、または図９に関して説明した基地局１０５、２０５、または９０５のうちの１つまたは複数の態様、あるいは図６、図７、または図８に関して説明した装置６０５、７０５、または８０５の１つまたは複数の態様に関して以下で説明する。いくつかの例では、基地局または装置は、以下で説明する機能を実施するように基地局または装置の機能要素を制御するためのコードの１つまたは複数のセットを実行し得る。
【０１１６】
[0128]ブロック１１０５において、方法１１００は、第１の事業者の第１の基地局によって、少なくとも１つの第２の事業者の第２の基地局のＣＥＴタイミング情報を監視することを含み得る。（たとえば、ＣＥＴを含む）少なくとも１つの第２の事業者の第２の基地局の送信は、第１の事業者の第１の基地局の送信と非同期であり得る。いくつかの例では、第１の基地局は、図１、図２、または図９に関して説明した基地局１０５、２０５、または９０５であり得るか、あるいは第１の基地局は、図６、図７、または図８に関して説明した装置６０５、７０５、または８０５を含み（またはそれに含まれ）得る。ブロック１１０５における（１つまたは複数の）動作は、図６、図７、または図８に関して説明したワイヤレス通信管理モジュール６２０、７２０、または８２０、図７または図８に関して説明したＣＥＴタイミング情報監視モジュール７３５または８４５、あるいは図９に関して説明した基地局ワイヤレス通信管理モジュール９６０を使用して実行され得る。
【０１１７】
[0129]ブロック１１１０において、方法１１００は、監視することに少なくとも部分的に基づいて、少なくとも１つの第２の事業者の第２の基地局のＣＥＴの送信タイミングを識別することを含み得る。ブロック１１１０における（１つまたは複数の）動作は、図６、図７、または図８に関して説明したワイヤレス通信管理モジュール６２０、７２０、または８２０、図７または図８に関して説明したＣＥＴ送信タイミング識別モジュール７４０または８６０、あるいは図９に関して説明した基地局ワイヤレス通信管理モジュール９６０を使用して実行され得る。
【０１１８】
[0130]ブロック１１１５において、方法１１００は、少なくとも１つの第２の事業者の第２の基地局のＣＥＴの送信タイミング中に、第１の事業者の第１の基地局の送信を中断することを含み得る。いくつかの例では、最小１つの第２の事業者の第２の基地局のＣＥＴの送信タイミングと重複する１つまたは複数のＬＢＴフレーム、サブフレーム、または他の送信増分の間、送信は中断され得る。ブロック１１１５における（１つまたは複数の）動作は、図６、図７、または図８に関して説明したワイヤレス通信管理モジュール６２０、７２０、または８２０、図７または図８に関して説明した送信中断管理モジュール７４５または８６５、あるいは図９に関して説明した基地局ワイヤレス通信管理モジュール９６０を使用して実行され得る。
【０１１９】
[0131]方法１１００のいくつかの例では、方法１１００は、１つまたは複数の事業者（たとえば、Ｌ個の事業者）の基地局のＣＥＴの送信タイミング中に、第１の事業者の第１の基地局の送信を中断することを含み得る。Ｌ個の事業者の各々のＣＥＴがＴ（ＣＥＴ）ミリ秒の期間を有するとき、第１の事業者の第１の基地局の送信を中断するための最大オーバーヘッドは、２Ｌ／Ｔ（ＣＥＴ）ミリ秒であり、ここで、量２Ｌは、第１の事業者の第１の基地局の２つの１ミリ秒のサブフレームと重複する第２または追加の事業者の基地局のＣＥＴを考慮する。
【０１２０】
[0132]方法１１００のいくつかの例では、方法１１００は、１つまたは複数の事業者（たとえば、Ｌ個の事業者）の基地局のアップリンクＣＥＴとダウンリンクＣＥＴの両方の送信タイミング中に、第１の事業者の第１の基地局の送信を中断することを含み得る。Ｌ個の事業者の各々のアップリンクＣＥＴおよびダウンリンクＣＥＴがＴ（ＣＥＴ）ミリ秒の期間を有するとき、第１の事業者の第１の基地局の送信を中断するための最大オーバーヘッドは、４Ｌ／Ｔ（ＣＥＴ）ミリ秒（たとえば、２×２Ｌ／Ｔ（ＣＥＴ）ミリ秒）である。
【０１２１】
[0133]このようにして、方法１１００は、ワイヤレス通信を提供し得る。方法１１００は一実装形態にすぎないこと、および方法１１００の動作は、他の実装形態が可能であるように、並べ替えられるかまたは場合によっては変更され得ることに留意されたい。
【０１２２】
[0134]図１２は、本開示の様々な態様による、ワイヤレス通信のための方法１２００の一例を示すフローチャートである。明快のために、方法１２００について、図１、図２、または図９に関して説明した基地局１０５、２０５、または９０５のうちの１つまたは複数の態様、あるいは図６、図７、または図８に関して説明した装置６０５、７０５、または８０５の１つまたは複数の態様に関して以下で説明する。いくつかの例では、基地局または装置は、以下で説明する機能を実施するように基地局または装置の機能要素を制御するためのコードの１つまたは複数のセットを実行し得る。
【０１２３】
[0135]ブロック１２０５において、方法１２００は、ＬＢＴフレームのいくつかのＯＦＤＭシンボル中にダウンリンクＣＣＡを実行することを含み得る。例として、ＬＢＴフレームは、２ミリ秒、５ミリ秒、または１０ミリ秒の持続時間を有し得る。いくつかのＯＦＤＭシンボルは、ＬＢＴフレームの第１のサブフレームの始まりにおいて起こり得る。ブロック１２０５における（１つまたは複数の）動作は、図６、図７、または図８に関して説明したワイヤレス通信管理モジュール６２０、７２０、または８２０、図８に関して説明したダウンリンクＣＣＡ管理モジュール８３５、あるいは図９に関して説明した基地局ワイヤレス通信管理モジュール９６０を使用して実行され得る。
【０１２４】
[0136]ブロック１２１０において、方法１２００は、第１の事業者の第１の基地局によって、第１の基地局のＣＥＴを送信することを含み得る。第１の事業者の第１の基地局のＣＥＴは、第１の事業者の第１の基地局のためのシステム構成情報を含み得る。いくつかの例では、第１の基地局は、図１、図２、または図９に関して説明した基地局１０５、２０５、または９０５であり得るか、あるいは第１の基地局は、図６、図７、または図８に関して説明した装置６０５、７０５、または８０５を含み（またはそれに含まれ）得る。いくつかの例では、第１の事業者の第１の基地局のためのシステム構成情報は、ＬＢＴフレームの構成に関する情報を含み得る。いくつかの例では、ＬＢＴフレームの構成に関する情報は、ＬＢＴフレームの持続時間を２ミリ秒、５ミリ秒、または１０ミリ秒として示し得る。ブロック１２１０における（１つまたは複数の）動作は、図６、図７、または図８に関して説明したワイヤレス通信管理モジュール６２０、７２０、または８２０、図８に関して説明したＣＥＴ送信管理モジュール８４０、あるいは図９に関して説明した基地局ワイヤレス通信管理モジュール９６０を使用して実行され得る。
【０１２５】
[0137]ブロック１２１５において、方法１２００は、第１の事業者の第１の基地局によって、少なくとも１つの第２の事業者の第２の基地局のＣＥＴタイミング情報を監視することを含み得る。（たとえば、ＣＥＴを含む）少なくとも１つの第２の事業者の第２の基地局の送信は、第１の事業者の第１の基地局の送信と非同期であり得る。監視することは、少なくとも１つの第２の事業者の第２の基地局から直接、少なくとも１つの第２の事業者の第２の基地局のためのＣＥＴタイミング情報を検出することを含み得る。監視することは、同じくまたは代替的に、少なくとも１つの第２の事業者の第２の基地局のＣＥＴの送信を検出するために、複数の時間間隔の各々の少なくとも１つの時間サブ間隔中に、第１の事業者の第１の基地局のデータ送信を中止することを含み得る。たとえば、第１の事業者の第１の基地局は、少なくとも１つの第２の事業者の第２の基地局のＣＥＴの送信を検出するために、Ｍ秒（または分）ごとに、ＣＥＴ期間の一部または全部中に（たとえば、図４に関して説明したＣＥＴ期間の一部または全部の間）、データ送信を中止し得る。第１の事業者の第１の基地局のデータ送信を中止するとき、およびいくつかの例では、少なくとも１つの時間サブ間隔は、複数の時間間隔のうちの第１の時間間隔から複数の時間間隔のうちの第２の時間間隔に変化し得る。たとえば、第１の事業者の第１の基地局は、１つのＭ秒時間間隔中に、ＣＥＴ期間の第１のＫミリ秒の間、データ送信を中止し、次のＭ秒時間間隔中に、ＣＥＴ期間の異なるＫミリ秒の間、データ送信を中止し得る。
【０１２６】
[0138]ブロック１２１５における（１つまたは複数の）動作は、図６、図７、または図８に関して説明したワイヤレス通信管理モジュール６２０、７２０、または８２０、図７または図８に関して説明したＣＥＴタイミング情報監視モジュール７３５または８４５、図８に関して説明したＣＥＴ監視モジュール８５０、あるいは図９に関して説明した基地局ワイヤレス通信管理モジュール９６０を使用して実行され得る。
【０１２７】
[0139]ブロック１２２０において、方法１２００は、監視することに少なくとも部分的に基づいて、少なくとも１つの第２の事業者の第２の基地局のＣＥＴの送信タイミングを識別することを含み得る。ブロック１２２０における（１つまたは複数の）動作は、図６、図７、または図８に関して説明したワイヤレス通信管理モジュール６２０、７２０、または８２０、図７または図８に関して説明したＣＥＴ送信タイミング識別モジュール７４０または８６０、あるいは図９に関して説明した基地局ワイヤレス通信管理モジュール９６０を使用して実行され得る。
【０１２８】
[0140]ブロック１２２５において、方法１２００は、少なくとも１つの第２の事業者の第２の基地局のＣＥＴの送信タイミング中に、第１の事業者の第１の基地局のセルの送信を中断することを含み得る。セルは、ＳＤＬ動作モードをサポートする無認可無線周波数スペクトル帯域（たとえば、ＬＴＥ／ＬＴＥ−Ａ通信のために使用可能な無認可無線周波数スペクトル帯域など、無線周波数スペクトル帯域が無認可使用のために利用可能であるので、装置がそれのためにアクセスを求めて競合する必要があり得る、Ｗｉ−Ｆｉ無線周波数スペクトル帯域などの無線周波数スペクトル帯域）を使用し得る。いくつかの例では、その送信増分が少なくとも１つの第２の事業者の第２の基地局のＣＥＴの送信タイミングと重複する、セルの１つまたは複数のＬＢＴフレーム、サブフレーム、または他の送信増分の間、送信は中断され得る。ブロック１２２５における（１つまたは複数の）動作は、図６、図７、または図８に関して説明したワイヤレス通信管理モジュール６２０、７２０、または８２０、図７または図８に関して説明した送信中断管理モジュール７４５または８６５、あるいは図９に関して説明した基地局ワイヤレス通信管理モジュール９６０を使用して実行され得る。
【０１２９】
[0141]方法１２００のいくつかの例では、方法１２００は、１つまたは複数の事業者（たとえば、Ｌ個の事業者）の基地局のＣＥＴの送信タイミング中に、第１の事業者の第１の基地局のセルの送信を中断することを含み得る。Ｌ個の事業者の各々のＣＥＴがＴ（ＣＥＴ）ミリ秒の期間を有するとき、第１の事業者の第１の基地局の送信を中断するための最大オーバーヘッドは、２Ｌ／Ｔ（ＣＥＴ）ミリ秒であり、ここで、量２Ｌは、第１の事業者の第１の基地局の２つの１ミリ秒のサブフレームと重複する第２または追加の事業者の基地局のＣＥＴを考慮する。
【０１３０】
[0142]方法１２００のいくつかの例では、方法１２００は、１つまたは複数の事業者（たとえば、Ｌ個の事業者）の基地局のアップリンクＣＥＴとダウンリンクＣＥＴの両方の送信タイミング中に、第１の事業者の第１の基地局の送信を中断することを含み得る。Ｌ個の事業者の各々のアップリンクＣＥＴおよびダウンリンクＣＥＴがＴ（ＣＥＴ）ミリ秒の期間を有するとき、第１の事業者の第１の基地局の送信を中断するための最大オーバーヘッドは、４Ｌ／Ｔ（ＣＥＴ）ミリ秒（たとえば、２×２Ｌ／Ｔ（ＣＥＴ）ミリ秒）である。
【０１３１】
[0143]方法１２００のいくつかの例では、本方法は、少なくとも１つの第２の事業者の第２の基地局のＣＥＴの送信タイミング中に（または複数の事業者の基地局のＣＥＴの送信タイミング中に）、第１の事業者の第１の基地局の複数のセルの送信を中断することを含み得る。
【０１３２】
[0144]このようにして、方法１２００は、ワイヤレス通信を提供し得る。方法１２００は一実装形態にすぎないこと、および方法１２００の動作は、他の実装形態が可能であるように、並べ替えられるかまたは場合によっては変更され得ることに留意されたい。
【０１３３】
[0145]図１３は、本開示の様々な態様による、ワイヤレス通信のための方法１３００の一例を示すフローチャートである。明快のために、方法１３００について、図１、図２、または図９に関して説明した基地局１０５、２０５、または９０５のうちの１つまたは複数の態様、あるいは図６、図７、または図８に関して説明した装置６０５、７０５、または８０５の１つまたは複数の態様に関して以下で説明する。いくつかの例では、基地局または装置は、以下で説明する機能を実施するように基地局または装置の機能要素を制御するためのコードの１つまたは複数のセットを実行し得る。
【０１３４】
[0146]ブロック１３０５において、方法１３００は、ＬＢＴフレームのいくつかのＯＦＤＭシンボル中にダウンリンクＣＣＡを実行することを含み得る。例として、ＬＢＴフレームは、２ミリ秒、５ミリ秒、または１０ミリ秒の持続時間を有し得る。いくつかのＯＦＤＭシンボルは、ＬＢＴフレームの第１のサブフレームの始まりにおいて起こり得る。ブロック１２０５における（１つまたは複数の）動作は、図６、図７、または図８に関して説明したワイヤレス通信管理モジュール６２０、７２０、または８２０、図８に関して説明したダウンリンクＣＣＡ管理モジュール８３５、あるいは図９に関して説明した基地局ワイヤレス通信管理モジュール９６０を使用して実行され得る。
【０１３５】
[0147]ブロック１３１０において、方法１３００は、第１の事業者の第１の基地局によって、第１の基地局のＣＥＴを送信することを含み得る。第１の事業者の第１の基地局のＣＥＴは、第１の事業者の第１の基地局のためのシステム構成情報を含み得る。いくつかの例では、第１の基地局は、図１、図２、または図９に関して説明した基地局１０５、２０５、または９０５であり得るか、あるいは第１の基地局は、図６、図７、または図８に関して説明した装置６０５、７０５、または８０５を含み（またはそれに含まれ）得る。いくつかの例では、第１の事業者の第１の基地局のためのシステム構成情報は、ＬＢＴフレームの構成に関する情報を含み得る。いくつかの例では、ＬＢＴフレームの構成に関する情報は、ＬＢＴフレームの持続時間を２ミリ秒、５ミリ秒、または１０ミリ秒として示し得る。ブロック１３１０における（１つまたは複数の）動作は、図６、図７、または図８に関して説明したワイヤレス通信管理モジュール６２０、７２０、または８２０、図８に関して説明したＣＥＴ送信管理モジュール８４０、あるいは図９に関して説明した基地局ワイヤレス通信管理モジュール９６０を使用して実行され得る。
【０１３６】
[0148]ブロック１３１５において、方法１３００は、第１の事業者の第１の基地局によって、少なくとも１つの第２の事業者の第２の基地局のＣＥＴタイミング情報を監視することを含み得る。（たとえば、ＣＥＴを含む）少なくとも１つの第２の事業者の第２の基地局の送信は、第１の事業者の第１の基地局の送信と非同期であり得る。監視することは、第１の事業者の第１の基地局の第１のセル中にあるモバイルデバイスから報告を受信することを含み得る。
【０１３７】
[0149]モバイルデバイスからの報告は様々な形態をとり得る。一例では、モバイルデバイスからの報告は、第１の事業者の第１の基地局と少なくとも１つの第２の事業者の第２の基地局との間のタイミング差（たとえば、第１の事業者の第１のＰＬＭＮと少なくとも１つの第２の事業者の第２のＰＬＭＮとの間のタイミング差）を含み得、ここにおいて、モバイルデバイスは、第１の事業者の第１の基地局によってサービスされる。タイミング差は、場合によっては、ＳＦＮ差、サブフレーム番号差、およびサブフレーム内のタイミング差として報告され得る。別の例では、モバイルデバイスからの報告は、基準ＣＥＴタイミングと少なくとも１つの第２の事業者の第２の基地局のＣＥＴの送信タイミングとの間のタイミング差を含み得る。さらに上記および他の例では、モバイルデバイスからの報告は、少なくとも１つの第２の事業者のＰＬＭＮ識別子を含み得、モバイルデバイスは、第１の事業者のＰＬＭＮのメンバーである。少なくとも１つの第２の事業者のＰＬＭＮ識別子は、少なくとも１つの第２の事業者の第２の基地局のＣＥＴの送信タイミングを識別する際に使用するために、報告がインデックス付けされることを可能にする。
【０１３８】
[0150]方法１３００のいくつかの例では、モバイルデバイスからの報告は、測定報告（たとえば、ＲＳＲＰ／ＲＳＲＱまたは他の測定報告）を用いて送信され得る。
【０１３９】
[0151]ブロック１３１５における（１つまたは複数の）動作は、図６、図７、または図８に関して説明したワイヤレス通信管理モジュール６２０、７２０、または８２０、図７または図８に関して説明したＣＥＴタイミング情報監視モジュール７３５または８４５、図８に関して説明した報告監視モジュール８５５、あるいは図９に関して説明した基地局ワイヤレス通信管理モジュール９６０を使用して実行され得る。
【０１４０】
[0152]ブロック１３２０において、方法１３００は、モバイルデバイスからの報告に少なくとも部分的に基づいて、少なくとも１つの第２の事業者の第２の基地局のＣＥＴの送信タイミングを識別することを含み得る。ブロック１３２０における（１つまたは複数の）動作は、図６、図７、または図８に関して説明したワイヤレス通信管理モジュール６２０、７２０、または８２０、図７または図８に関して説明したＣＥＴ送信タイミング識別モジュール７４０または８６０、あるいは図９に関して説明した基地局ワイヤレス通信管理モジュール９６０を使用して実行され得る。
【０１４１】
[0153]ブロック１３２５において、方法１３００は、少なくとも１つの第２の事業者の第２の基地局のＣＥＴの送信タイミング中に、第１の事業者の第１の基地局のセルの送信を中断することを含み得る。セルは、ＳＤＬ動作モードをサポートする無認可無線周波数スペクトル帯域（たとえば、ＬＴＥ／ＬＴＥ−Ａ通信のために使用可能な無認可無線周波数スペクトル帯域など、無線周波数スペクトル帯域が無認可使用のために利用可能であるので、装置がそれのためにアクセスを求めて競合する必要があり得る、Ｗｉ−Ｆｉ無線周波数スペクトル帯域などの無線周波数スペクトル帯域）を使用し得る。いくつかの例では、その送信増分が少なくとも１つの第２の事業者の第２の基地局のＣＥＴの送信タイミングと重複する、セルの１つまたは複数のＬＢＴフレーム、サブフレーム、または他の送信増分の間、送信は中断され得る。ブロック１３２５における（１つまたは複数の）動作は、図６、図７、または図８に関して説明したワイヤレス通信管理モジュール６２０、７２０、または８２０、図７または図８に関して説明した送信中断管理モジュール７４５または８６５、あるいは図９に関して説明した基地局ワイヤレス通信管理モジュール９６０を使用して実行され得る。
【０１４２】
[0154]方法１３００のいくつかの例では、方法１３００は、１つまたは複数の事業者（たとえば、Ｌ個の事業者）の基地局のＣＥＴの送信タイミング中に、第１の事業者の第１の基地局のセルの送信を中断することを含み得る。Ｌ個の事業者の各々のＣＥＴがＴ（ＣＥＴ）ミリ秒の期間を有するとき、第１の事業者の第１の基地局の送信を中断するための最大オーバーヘッドは、２Ｌ／Ｔ（ＣＥＴ）ミリ秒であり、ここで、量２Ｌは、第１の事業者の第１の基地局の２つの１ミリ秒のサブフレームと重複する第２または追加の事業者の基地局のＣＥＴを考慮する。
【０１４３】
[0155]方法１３００のいくつかの例では、方法１３００は、１つまたは複数の事業者（たとえば、Ｌ個の事業者）の基地局のアップリンクＣＥＴとダウンリンクＣＥＴの両方の送信タイミング中に、第１の事業者の第１の基地局の送信を中断することを含み得る。Ｌ個の事業者の各々のアップリンクＣＥＴおよびダウンリンクＣＥＴがＴ（ＣＥＴ）ミリ秒の期間を有するとき、第１の事業者の第１の基地局の送信を中断するための最大オーバーヘッドは、４Ｌ／Ｔ（ＣＥＴ）ミリ秒（たとえば、２×２Ｌ／Ｔ（ＣＥＴ）ミリ秒）である。
【０１４４】
[0156]方法１３００のいくつかの例では、本方法は、少なくとも１つの第２の事業者の第２の基地局のＣＥＴの送信タイミング中に（または複数の事業者の基地局のＣＥＴの送信タイミング中に、第１の事業者の第１の基地局の複数のセルの送信を中断することを含み得る。
【０１４５】
[0157]このようにして、方法１３００は、ワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１４６】
[0158]いくつかの例では、方法１１００、１２００、または１３００の１つまたは複数の態様は組み合わせられ得る。
【０１４７】
[0159]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。発明を実施するための形態は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１４８】
[0160]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４９】
[0161]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１５０】
[0162]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして非一時的コンピュータ可読媒体上に記憶されるか、あるいは非一時的コンピュータ可読媒体を介して送信され得る。他の例および実装形態が、本開示および添付の特許請求の範囲および趣旨内にある。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１５１】
[0163]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５２】
[0164]本開示の上述の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
［Ｃ１］
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、および
前記少なくとも１つの第２の事業者の前記第２の基地局の前記ＣＥＴの前記送信タイミング中に、前記第１の事業者の前記第１の基地局の前記送信を中断することと
を備える、ワイヤレス通信のための方法。
［Ｃ２］
前記監視することが、
前記少なくとも１つの第２の事業者の前記第２の基地局から直接、前記少なくとも１つの第２の事業者の前記第２の基地局のための前記ＣＥＴタイミング情報を検出することを備える、Ｃ１に記載の方法。
［Ｃ３］
前記監視することが、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止することを備える、Ｃ２に記載の方法。
［Ｃ４］
前記少なくとも１つの時間サブ間隔が、前記複数の時間間隔のうちの第１の時間間隔から前記複数の時間間隔のうちの第２の時間間隔に変化する、Ｃ３に記載の方法。
［Ｃ５］
前記監視することが、前記第１の事業者の前記第１の基地局の第１のセル中にあるモバイルデバイスから報告を受信することを備え、
前記識別することが、前記モバイルデバイスからの前記報告に少なくとも部分的に基づいて、前記少なくとも１つの第２の事業者の前記第２の基地局の前記ＣＥＴの前記送信タイミングを識別することを備える、Ｃ１に記載の方法。
［Ｃ６］
前記モバイルデバイスからの前記報告が、
前記第１の事業者の前記第１の基地局と前記少なくとも１つの第２の事業者の前記第２の基地局との間のタイミング差を備え、ここにおいて、前記モバイルデバイスが、前記第１の事業者の前記第１の基地局によってサービスされる、Ｃ５に記載の方法。
［Ｃ７］
前記モバイルデバイスからの前記報告が、
基準ＣＥＴタイミングと前記少なくとも１つの第２の事業者の前記第２の基地局の前記ＣＥＴの前記送信タイミングとの間のタイミング差を備える、Ｃ５に記載の方法。
［Ｃ８］
前記モバイルデバイスからの前記報告が、
前記少なくとも１つの第２の事業者のパブリックランドモバイルネットワーク（ＰＬＭＮ）識別子を備え、前記モバイルデバイスが、前記第１の事業者のＰＬＭＮのメンバーである、Ｃ５に記載の方法。
［Ｃ９］
前記第１の事業者の前記第１の基地局によって、前記第１の基地局のＣＥＴを送信することをさらに備え、前記第１の事業者の前記第１の基地局の前記ＣＥＴが、前記第１の事業者の前記第１の基地局のためのシステム構成情報を備える、Ｃ１に記載の方法。
［Ｃ１０］
前記第１の事業者の前記第１の基地局のための前記システム構成情報が、
リッスンビフォアトーク（ＬＢＴ）フレームの構成に関する情報を備える、Ｃ９に記載の方法。
［Ｃ１１］
前記ＬＢＴフレームの前記構成に関する前記情報が、前記ＬＢＴフレームの持続時間を２ミリ秒または５ミリ秒として示す、Ｃ１０に記載の方法。
［Ｃ１２］
リッスンビフォアトーク（ＬＢＴ）フレームのいくつかの直交周波数分割多重（ＯＦＤＭ）シンボル中にダウンリンクＣＣＡを実行することをさらに備え、ここにおいて、前記いくつかのＯＦＤＭシンボルが、前記ＬＢＴフレームの第１のサブフレームの始まりにおいて起こる、Ｃ１に記載の方法。
［Ｃ１３］
前記第１の事業者の前記第１の基地局の前記送信を前記中断することが、
補足ダウンリンク（ＳＤＬ）動作モードをサポートする無認可無線周波数スペクトル帯域を使用するセルの送信を中断することを備える、Ｃ１に記載の方法。
［Ｃ１４］
第１の事業者の第１の基地局によって、少なくとも１つの第２の事業者の第２の基地局のクリアチャネルアセスメント（ＣＣＡ）免除送信（ＣＥＴ）タイミング情報を監視するための手段と、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別するための手段と、および
前記少なくとも１つの第２の事業者の前記第２の基地局の前記ＣＥＴの前記送信タイミング中に、前記第１の事業者の前記第１の基地局の前記送信を中断するための手段と
を備える、ワイヤレス通信のための装置。
［Ｃ１５］
監視するための前記手段が、
前記少なくとも１つの第２の事業者の前記第２の基地局から直接、前記少なくとも１つの第２の事業者の前記第２の基地局のための前記ＣＥＴタイミング情報を検出するための手段を備える、Ｃ１４に記載の装置。
［Ｃ１６］
監視するための前記手段が、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止するための手段を備える、Ｃ１５に記載の装置。
［Ｃ１７］
前記少なくとも１つの時間サブ間隔が、前記複数の時間間隔のうちの第１の時間間隔から前記複数の時間間隔のうちの第２の時間間隔に変化する、Ｃ１６に記載の装置。
［Ｃ１８］
監視するための前記手段が、前記第１の事業者の前記第１の基地局の第１のセル中にあるモバイルデバイスから報告を受信するための手段を備え、および
識別するための前記手段が、前記モバイルデバイスからの前記報告に少なくとも部分的に基づいて、前記少なくとも１つの第２の事業者の前記第２の基地局の前記ＣＥＴの前記送信タイミングを識別するための手段を備える、Ｃ１４に記載の装置。
［Ｃ１９］
前記モバイルデバイスからの前記報告が、
前記第１の事業者の前記第１の基地局と前記少なくとも１つの第２の事業者の前記第２の基地局との間のタイミング差を備え、ここにおいて、前記モバイルデバイスが、前記第１の事業者の前記第１の基地局によってサービスされる、Ｃ１８に記載の装置。
［Ｃ２０］
前記モバイルデバイスからの前記報告が、
基準ＣＥＴタイミングと前記少なくとも１つの第２の事業者の前記第２の基地局の前記ＣＥＴの前記送信タイミングとの間のタイミング差を備える、Ｃ１８に記載の装置。
［Ｃ２１］
前記モバイルデバイスからの前記報告が、
前記少なくとも１つの第２の事業者のパブリックランドモバイルネットワーク（ＰＬＭＮ）識別子を備え、前記モバイルデバイスが、前記第１の事業者のＰＬＭＮのメンバーである、Ｃ１８に記載の装置。
［Ｃ２２］
前記第１の事業者の前記第１の基地局によって、前記第１の基地局のＣＥＴを送信するための手段をさらに備え、前記第１の事業者の前記第１の基地局の前記ＣＥＴが、前記第１の事業者の前記第１の基地局のためのシステム構成情報を備える、Ｃ１４に記載の装置。
［Ｃ２３］
前記第１の事業者の前記第１の基地局のための前記システム構成情報が、
リッスンビフォアトーク（ＬＢＴ）フレームの構成に関する情報を備える、Ｃ２２に記載の装置。
［Ｃ２４］
プロセッサと、
前記プロセッサと電子通信しているメモリと、および
前記メモリに記憶された命令と
を備え、前記命令は、
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、および
前記少なくとも１つの第２の事業者の前記第２の基地局の前記ＣＥＴの前記送信タイミング中に、前記第１の事業者の前記第１の基地局の前記送信を中断することと
を行うために前記プロセッサによって実行可能である、ワイヤレス通信のための装置。
［Ｃ２５］
監視するために前記プロセッサによって実行可能な前記命令が、
前記少なくとも１つの第２の事業者の前記第２の基地局から直接、前記少なくとも１つの第２の事業者の前記第２の基地局のための前記ＣＥＴタイミング情報を検出するために前記プロセッサによって実行可能な命令を備える、Ｃ２４に記載の装置。
［Ｃ２６］
監視するために前記プロセッサによって実行可能な前記命令が、
前記少なくとも１つの第２の事業者の前記第２の基地局のＣＥＴの送信を検出するために、複数の時間間隔の各々の少なくとも１つの時間サブ間隔中に、前記第１の事業者の前記第１の基地局のデータ送信を中止するために前記プロセッサによって実行可能な命令を備える、Ｃ２５に記載の装置。
［Ｃ２７］
前記少なくとも１つの時間サブ間隔が、前記複数の時間間隔のうちの第１の時間間隔から前記複数の時間間隔のうちの第２の時間間隔に変化する、Ｃ２６に記載の装置。
［Ｃ２８］
監視するために前記プロセッサによって実行可能な前記命令が、前記第１の事業者の前記第１の基地局の第１のセル中にあるモバイルデバイスから報告を受信するために前記プロセッサによって実行可能な命令を備え、
識別するために前記プロセッサによって実行可能な前記命令が、前記モバイルデバイスからの前記報告に少なくとも部分的に基づいて、前記少なくとも１つの第２の事業者の前記第２の基地局の前記ＣＥＴの前記送信タイミングを識別するために前記プロセッサによって実行可能な命令を備える、Ｃ２４に記載の装置。
［Ｃ２９］
ワイヤレス通信のためのコンピュータ実行可能コードを記憶する非一時的コンピュータ可読媒体であって、前記コードは、
第１の事業者の第１の基地局によって、少なくとも１つの第２の事業者の第２の基地局のクリアチャネルアセスメント（ＣＣＡ）免除送信（ＣＥＴ）タイミング情報を監視することと、ここにおいて、前記少なくとも１つの第２の事業者の前記第２の基地局の送信が、前記第１の事業者の前記第１の基地局の送信と非同期である、
前記監視することに少なくとも部分的に基づいて、前記少なくとも１つの第２の事業者の前記第２の基地局のＣＥＴの送信タイミングを識別することと、
前記少なくとも１つの第２の事業者の前記第２の基地局の前記ＣＥＴの前記送信タイミング中に、前記第１の事業者の前記第１の基地局の前記送信を中断することと
を行うために少なくとも１つのプロセッサによって実行可能である、非一時的コンピュータ可読媒体。
［Ｃ３０］
前記コードが、
前記少なくとも１つの第２の事業者の前記第２の基地局から直接、前記少なくとも１つの第２の事業者の前記第２の基地局のための前記ＣＥＴタイミング情報を検出するために前記少なくとも１つのプロセッサによって実行可能である、Ｃ２９に記載のコンピュータ可読媒体。
【図１】
0006377756.tif 000002
【図２】
0006377756.tif 000003
【図３】
0006377756.tif 000004
【図４】
0006377756.tif 000005
【図５】
0006377756.tif 000006
【図６】
0006377756.tif 000007
【図７】
0006377756.tif 000008
【図８】
0006377756.tif 000009
【図９】
0006377756.tif 000010
【図１０】
0006377756.tif 000011
【図１１】
0006377756.tif 000012
【図１２】
0006377756.tif 000013
【図１３】
0006377756.tif 000014